(57)【要約】【課題】この発明は、綴具の綴杆を手で操作することにより、比較的容易に開閉することができる綴具を提供する。【解決手段】この発明の綴具は、複数の開閉自在の綴杆２０と、前記綴杆２０を間隔をおいて設けることができる長さを備えた保持部材１６と、各綴杆２０がその基部において間隔をおいてその表面に固定され、綴杆２０が保持部材１６に固定されるように保持部材１６の内側に可動自在に固定された作動部材１８とを備えた、綴具であって、前記綴杆２０は、直接指で閉じられる主綴杆１２と、該主綴杆１２の閉じる方向に向けての作動に追動する副綴杆１４とにより構成され、閉じられるとき、副綴杆１４を構成する一対の半割杆１４ａ，１４ｂの先端どうしが突き当たったとき、主綴杆１２を構成する一対の半割杆１２ａ，１２ｂの先端の間に間隙が形成されるように、主綴杆１２及び副綴杆１４が形成されている。【選択図】図８
2005246940.tif 000002
【特許請求の範囲】
【請求項１】
複数の開閉自在の綴杆と、
前記綴杆を間隔をおいて設けることができる長さを備えた保持部材と、
各綴杆がその基部において間隔をおいてその表面に固定され、綴杆が保持部材に固定されるように保持部材の内側に可動自在に固定された作動部材とを備えた、綴具であって、
前記綴杆は、直接指で閉じられる主綴杆と、該主綴杆の閉じる方向に向けての作動に追動する副綴杆とにより構成され、
閉じられるとき、副綴杆を構成する一対の半割杆の先端どうしが突き当たったとき、主綴杆を構成する一対の半割杆の先端の間に間隙が形成されるように、主綴杆及び副綴杆が形成された、
綴具。
【請求項２】
作動部材に固定された主綴杆と該作動部材に固定された副綴杆とは、円環状またD字状であり、
前記主綴杆を構成する半割杆及び副綴杆を構成する半割杆の作動部材の主面への取り付け角度に差が設けられた、
請求項１に記載の綴具。
【請求項３】
副綴杆の各半割杆の基部と先端部とを結ぶ線と、各綴杆が固定された作動部材を構成する第１の作動片及び第２の作動片の表面に垂直に交わる線との間の角度θ1と、
主綴杆の半割杆の基部と先端部とを結ぶ線と第２の作動片及び第１の作動片の表面に垂直に交わる線との間の角度θ2との間に差が設けられ、
θ1の方がθ2より０．５７°〜１．１４°大きく、
主綴杆の先端部の方が副綴杆の先端部より外側（接線方向）に開いている、
請求項１または２に記載の綴具。
【請求項４】
主綴杆及び副綴杆は、円環状であり、
主綴杆の曲率と副綴杆の曲率との間に差が設けられた、
請求項１ないし３のいずれかに記載の綴具。
【請求項５】
副綴杆の曲率は、主綴杆の曲率より大きい、
請求項１ないし４のいずれかに記載の綴具。
【請求項６】
直接指で閉じられる主綴杆と、該主綴杆の閉じる方向に向けての作動に追動する副綴杆とにより構成され、綴杆が閉じられるとき、副綴杆を構成する一対の半割杆と半割杆の先端どうしが突き当たったとき、主綴杆を構成する一対の半割杆と半割杆の先端の間に０．５ｍｍ〜１ｍｍの間隔が形成されるように、主綴杆及び副綴杆が形成されている、
請求項１ないし５のいずれかに記載の綴具。
【請求項７】
綴具は、４本の綴杆を備え、
主綴杆は、内側の綴杆のうち１本の綴杆により構成された、
請求項１ないし６のいずれかに記載の綴具。
【請求項８】
前記作動部材は、保持部材内で保持部材の長手方向に移動する一対の作動片からなり、
一方の作動片には綴杆の一方の基部が固定され、他方の作動片には綴杆の他方の基部が固定され、
前記綴杆が閉じるときには、保持部材の内面より離れた位置において、その突き合わせ縁が突き合わせた状態において保持され、
前記綴杆が開くときには、保持部材の内面に近づいた方向に向いて保持されるように保持部材に固定され、
前記綴杆を開くときに、作動片を保持部材内で保持部材の長手方向に移動させるとともに、保持部材の内面に近づいた方向に保持されるように、綴杆を開く方向に変化させる開閉部材が設けられた、
請求項１ないし７のいずれかに記載の綴具。
【発明の詳細な説明】
【技術分野】
【０００１】
この発明は、綴具に関し、特にたとえば、リングバインダないしファイルとして用いられる綴具に関する。
【背景技術】
【０００２】
従来、バインダとして、リングバインダがあるが、リングバインダは、略環状の綴杆が中央で噛み合って閉じられるように形成され、例えばリングを手で開閉する場合、略環状の綴杆を構成する一対の略半円形状の綴杆を、両者が離間するように指で引っ張ることにより、綴杆が開くように形成されている。
【特許文献１】特開平１０−３３７９８８号
【発明の開示】
【発明が解決しようとする課題】
【０００３】
しかしながら、この略環状の綴杆を指で閉じるとき、一つの綴杆を指で挟んで閉じた場合、指で閉じられた綴杆以外の綴杆が閉じにくいことがある。
【０００４】
また、この従来のリングファイルの、いわゆる立ち梃子型の綴具は、被綴じ物を略環状の綴杆に数多く閉じたとき、立ち梃子の内側を下方に押して綴杆を開くように構成されているが、立ち梃子を被綴じ物側から外側に向けて押して綴杆を開こうとしたとき、被綴じ物が障害となって、指で立ち梃子を押しにくいという問題がある。
【０００５】
それゆえに、この発明の主たる目的は、綴具の綴杆を手で操作することにより、比較的容易に開閉することができる綴具を提供することである。
【課題を解決するための手段】
【０００６】
この発明の請求項１にかかる綴具は、複数の開閉自在の綴杆と、前記綴杆を間隔をおいて設けることができる長さを備えた保持部材と、各綴杆がその基部において間隔をおいてその表面に固定され、綴杆が保持部材に固定されるように保持部材の内側に可動自在に固定された作動部材とを備えた、綴具であって、前記綴杆は、直接指で閉じられる主綴杆と、該主綴杆の閉じる方向に向けての作動に追動する副綴杆とにより構成され、閉じられるとき、副綴杆を構成する一対の半割杆の先端どうしが突き当たったとき、主綴杆を構成する一対の半割杆の先端の間に間隙が形成されるように、主綴杆及び副綴杆が形成された、綴具である。
この発明の請求項２にかかる綴具は、作動部材に固定された主綴杆と該作動部材に固定された副綴杆とは、円環状またD字状であり、前記主綴杆を構成する半割杆及び副綴杆を構成する半割杆の作動部材の主面への取り付け角度に差が設けられた、請求項１に記載の綴具である。
この発明の請求項３にかかる綴具は、副綴杆の各半割杆の基部と先端部とを結ぶ線と、各綴杆が固定された作動部材を構成する第１の作動片及び第２の作動片の表面に垂直に交わる線との間の角度θ1と、主綴杆の半割杆の基部と先端部とを結ぶ線と第２の作動片及び第１の作動片の表面に垂直に交わる線との間の角度θ2との間に差が設けられ、θ1の方がθ2より０．５７°〜１．１４°大きく、主綴杆の先端部の方が副綴杆の先端部より外側（接線方向）に開いている、請求項１または２に記載の綴具である。
この発明の請求項４にかかる綴具は、主綴杆及び副綴杆は、円環状であり、主綴杆の曲率と副綴杆の曲率との間に差が設けられた、請求項１ないし３のいずれかに記載の綴具である。
この発明の請求項５にかかる綴具は、副綴杆の曲率は、主綴杆の曲率より大きい、請求項１ないし４のいずれかに記載の綴具。
この発明の請求項６にかかる綴具は、直接指で閉じられる主綴杆と、該主綴杆の閉じる方向に向けての作動に追動する副綴杆とにより構成され、綴杆が閉じられるとき、副綴杆を構成する一対の半割杆と半割杆の先端どうしが突き当たったとき、主綴杆を構成する一対の半割杆と半割杆の先端の間に０．５ｍｍ〜１ｍｍの間隔が形成されるように、主綴杆及び副綴杆が形成されている、請求項１ないし５のいずれかに記載の綴具である。
この発明の請求項７にかかる綴具は、綴具は、４本の綴杆を備え、主綴杆は、内側の綴杆のうち１本の綴杆により構成された、請求項１ないし６のいずれかに記載の綴具である。
この発明の請求項８にかかる綴具は、前記作動部材は、保持部材内で保持部材の長手方向に移動する一対の作動片からなり、一方の作動片には綴杆の一方の基部が固定され、他方の作動片には綴杆の他方の基部が固定され、前記綴杆が閉じるときには、保持部材の内面より離れた位置において、その突き合わせ縁が突き合わせた状態において保持され、前記綴杆が開くときには、保持部材の内面に近づいた方向に向いて保持されるように保持部材に固定され、前記綴杆を開くときに、作動片を保持部材内で保持部材の長手方向に移動させるとともに、保持部材の内面に近づいた方向に保持されるように、綴杆を開く方向に変化させる開閉部材が設けられた、請求項１ないし７のいずれかに記載の綴具である。
【発明の効果】
【０００７】
この発明によれば、綴具の主綴杆を手で操作することにより、副綴杆を主綴杆の動きに追従して閉じることができる綴具を得ることができる。
請求項２ないし７の発明によれば、主綴杆を閉じ始めると、直接指で閉じられない副綴杆が先に係止され始め、更に主綴杆が閉じて係止され始めると、副綴杆の係止が進み主綴杆より先に副綴杆が完全に係止されるので、直接指で閉じられない副綴杆が確実に係止された後、直接指で主綴杆が確実に係止される。
請求項８の発明によれば、綴杆と、綴杆を間隔をおいて設けることができる長さを備えた保持部材と、各綴杆がその基部において間隔をおいてその表面に固定され、綴杆が保持部材に固定されるように保持部材の内側に可動自在に固定された作動部材とを備えた、綴具であって、作動部材は、保持部材内で保持部材の長手方向に移動する一対の作動片からなり、一方の作動片には綴杆の一方の基部が固定され、他方の作動片には綴杆の他方の基部が固定され、綴杆が閉じるときには、保持部材の内面より離れた位置において、その突き合わせ縁が突き合わせた状態において保持され、綴杆が開くときには、保持部材の内面に近づいた方向に向いて保持されるように保持部材に固定され、綴杆を開くときに、作動片を保持部材内で保持部材の長手方向に移動させるとともに、保持部材の内面に近づいた方向に保持されるように、綴杆を開く方向に変化させる開閉部材が設けられているので、開閉部材によって綴杆を開閉できる。
【０００８】
この発明の上述の目的、その他の目的、特徴および利点は、図面を参照して行う以下の発明を実施するための最良の形態の説明から一層明らかとなろう。
【発明を実施するための最良の形態】
【０００９】
第１図は、本発明にかかる綴具の一例を示す斜視図である。第２図は、閉じた状態における綴具の平面図であり、第３図は、閉じた状態における綴具の底面図であり、第４図は、閉じた状態における綴具の横断面図である。第５図は、開いた状態における綴具の平面図であり、第６図は、開いた状態における綴具の底面図であり、第７図は、開いた状態における綴具の横断面図である。第８図は、閉じかけた状態における綴杆の係止部近傍を示す平面図解図である。第９図は、閉じかけた状態における第１の綴杆の正面図であり、第１０図は、閉じかけた状態における第２の綴杆の正面図である。第１１図は、綴杆の閉じる作動状況を示す係止部近傍の平面図解図である。第１２図および第１３図は、綴具の構成を示す図解図である。第１４図は、綴具を表紙に取り付けた状態を示す横断面図である。
【００１０】
綴具１０は、厚紙その他の比較的硬質なシート材からなる表紙Ａの略中央に形成される左右一対の折り線の内側の背表紙の内側表面に固定される。固定する方法としては、綴具１０の長手方向の両端に形成された取付孔９０（後に詳述する）にボルトとナットやはとめ等の固着具を挿通させて、背表紙と一体となるように固定する方法がある。
なお、ここでは、固着具として、ボルトとナットを用いて説明するが、これに限ることなく、例えば、ビス、はとめ、リベット等を用いてもよい。また、背表紙に対して、例えば、超音波溶着または高周波溶着することにより固着する方法を採用することもできる。
【００１１】
綴具１０は、一対のそれぞれ略円環状の金属製の第１の綴杆１２および第１の綴杆１２と一対で第１の綴杆１２と略線対称の第２の綴杆１４と、前記第１の綴杆１２および第２の綴杆１４をそれぞれ間隔をおいて設けることができる長さを備えた保持部材１６と、その表面に第１の綴杆１２および第２の綴杆１４が間隔をおいて第１の綴杆１２および第２の綴杆１４のそれぞれの基部が固定され、第１の綴杆１２および第２の綴杆１４が前記保持部材１６に固定されるように保持部材１６の内側に可動自在に固定された作動部材１８とを備える。
【００１２】
この綴具１０の綴杆２０は、主綴杆たる第１の綴杆１２と副綴杆たる第２の綴杆１４とからなる開閉自在の２穴タイプである。
第１の綴杆１２と第２の綴杆１４とは、同一方向に向けて、その係止部５０を指で外すことができるように構成されている。
そして、綴杆２０を閉じるときは、主綴杆たる第１の綴杆１２を、例えば親指と人差し指で直接挟んで閉じるように構成されており、第１の綴杆１２を２本の指で挟んで閉じる方向に作動させると、副綴杆たる第２の綴杆１４は追動するように構成されている。
綴杆２０は、閉じるとき、主綴杆たる第１の綴杆１２の半割杆１２ａの先端と半割杆１２ｂの先端とが突き当たる前に、副綴杆たる第２の綴杆１４の半割杆１４ａの先端と半割杆１４ｂの先端とが突き当たり係止され始めるように構成されている。
【００１３】
保持部材１６は、第１の綴杆１２と第２の綴杆１４とを所定の間隔をおいて設けることができる長さを備える平面略長方形で、その両端、すなわち表紙Ａに取り付ける取付孔９０近傍においては、平面略半円弧状に形成されている。
【００１４】
保持部材１６は、第１の綴杆１２および第２の綴杆１４を固定する部位より長手方向における外側近傍より内側に向かって、その中央が膨出した断面略半円弧状の被綴じ物載置部２２を備え、且つ、被綴じ物載置部２２の内側は空間を備え、その空間に作動部材１８等を収容するように構成されている。
【００１５】
保持部材１６の被綴じ物載置部２２の両端には、その長手方向に略その一端から他端に亘って、作動部材１８を摺動自在に保持する保持壁が設けられている。この実施の形態においては、保持部材１６の長手方向において、第１の綴杆１２および第２の綴杆１４のそれぞれの外側近傍より内部に亘って略全体において垂下されるように、保持壁２４ａおよび保持壁２４ｂが連設され、保持壁２４ａと保持壁２４ｂとは平行で略同一の形状の板状である。さらに、保持壁２４ａおよび保持壁２４ｂの下端縁より内側に向けて、適宜な間隔をおいて、保持用凸部２４ｃおよび保持用凸部２４ｄが突設されており、第１の作動片３０の外側縁３０ｂおよび第２の作動片３２の外側縁３２ｂの近傍を保持するように形成されている。
【００１６】
そして、この保持壁２４ａおよび保持壁２４ｂと被綴じ物載置部２２によって囲繞された空間内に、後に詳しく説明する作動部材１８等が収容される。
【００１７】
保持部材１６の被綴じ物載置部２２には、第１の綴杆１２と第２の綴杆１４とを、一定の間隔（日本工業規格等で決められている一定の長さ）をおいて遊貫するための第１の貫通孔２６と第２の貫通孔２８がそれぞれ穿設されている。
【００１８】
第１の貫通孔２６と第２の貫通孔２８とは、第１の綴杆１２を構成する半割杆１２ａおよび半割杆１２ｂと、第２の綴杆１４を構成する半割杆１４ａおよび半割杆１４ｂとに対応して、保持部材１６の幅方向において左右に分かれて一定の間隔をおいて、２つずつ穿設されている。
【００１９】
作動部材１８は、平面略長方形状金属製平板からなる一対の第１の作動片３０および第２の作動片３２からなる。
【００２０】
第１の作動片３０と第２の作動片３２とは、その長手方向において、保持壁２４ａ及び保持壁２４ｂと平行でその内面と摺動する外側縁３０ｂ及び外側縁３２ｂと、該外側縁３０ｂ及び外側縁３２ｂと平行に当該一対の第１の作動片３０及び第２の作動片３２を突き合わせる突き合わせ縁３０ａ及び突き合わせ縁３２ａが内側縁に形成され、保持部材１６の空間内において各々をその長手方向において並置したとき、各々その内側縁を屈曲自在に係合する。すなわち、その突き合わせ縁３０ａおよび突き合わせ縁３２ａを突き合わせ且つ外側縁３０ｂおよび外側縁３２ｂが保持部材１６の保持壁２４ａおよび保持壁２４ｂの両壁内内側面に接合される。
【００２１】
そして、第１の作動片３０および第２の作動片３２は、外側から力が加わらないときには、第１の作動片３０と第２の作動片３２とが綴杆２０を上にしたときにおいて谷折り、すなわち保持部材１６の被綴じ物載置部２２の内面より離れた方向（突き合わせ縁３０ａおよび突き合わせ縁３２ａが、第１２図図示平面ＰXYより下側）に向いて、あるいはまた、綴杆２０を上にしたときにおいて山折り、すなわち保持部材１６の被綴じ物載置部２２の内面に近づいた方向（突き合わせ縁３０ａおよび突き合わせ縁３２ａが第１２図図示平面ＰXYより上側）に向いて、その綴杆２０を上にしたときにおいてその谷折りまたはその山折りの状態を維持するように、保持部材１６の内側空間部に内設されている。
平面ＰXYとは、第１の綴杆１２と第２の綴杆１４それぞれの基部が第１の作動片３０と第２の作動片３２に固着された部分（４箇所）を通る左右軸Ｙ1，Ｙ2および前後軸Ｘ1，Ｘ2（第１２図図示）を含む平面である。
【００２２】
作動部材１８は、一方の作動片、すなわち第１の作動片３０における保持部材１６の被綴じ物載置部２２の内側面と対向する表面（すなわち上面）には、第１の綴杆１２を構成する半割杆１２ａの基部が固定され、且つ、前記半割杆１２ａとは一定の間隔をおいて、第２の綴杆１４を構成する半割杆１４ａの基部が固定されている。
【００２３】
また、他方の作動片、すなわち第２の作動片３２における保持部材１６の被綴じ物載置部２２と対向する表面（すなわち上面）には、第１の綴杆１２を構成する半割杆１２ｂの基部が固定され、且つ、前記半割杆１２ｂと一定の間隔をおいて、第２の綴杆１４を構成する半割杆１４ｂの基部が固定されている。
【００２４】
そして、前記第１の綴杆１２および第２の綴杆１４が閉じるときには、第４図に示すように、作動部材１８を構成する第１の作動片３０と第２の作動片３２とは、その突き合わせ縁３０ａおよび突き合わせ縁３２ａが保持部材１６の内面（被綴じ物載置部２２の内面）より離れた方向に向いて（すなわち綴杆２０を上にしたときにおいて谷折りの状態）、第１の作動片３０の突き合わせ縁３０ａと第２の作動片３２の突き合わせ縁３２ａとが突き合わされた状態において保持されるとともに、前記第１の綴杆１２および第２の綴杆１４を開くときには、第７図に示すように、作動部材１８を構成する第１の作動片３０と第２の作動片３２とは、保持部材１６の内面（被綴じ物載置部２２の内面）に近づいた方向に向いて（すなわち綴杆２０を上にしたときにおいて山折りの状態）、第２の作動片３２の突き合わせ縁３２ａとが突き合わされた状態に保持されるように保持部材１６内の空間において固定される。
【００２５】
また、作動部材１８を構成する第１の作動片３０と第２の作動片３２とは、保持部材１６の被綴じ物載置部２２の内面に近づいた方向、すなわち綴杆２０を上にしたときにおいて山折りの状態においては、第１の作動片３０と第２の作動片３２の長手方向、すなわち第１の作動片３０と第２の作動片３２に固着された半割杆１２ａと半割杆１４ａとを結ぶ線（Ｘ1（第１２図図示））および半割杆１２ｂと半割杆１４ｂとを結ぶ線（Ｘ2（第１２図図示））と平行な方向に、第１の作動片３０と第２の作動片３２とを移動させることができるように摺動自在に内設されている。
【００２６】
第１の作動片３０と第２の作動片３２の下面、すなわち第１の綴杆１２と第２の綴杆１４の基部が固着された上面とは反対側の面に、第１の綴杆１２と第２の綴杆１４とを開閉方向に変化させる開閉部材４０が設けられている。
【００２７】
開閉部材４０は、コイルバネ、トーションバネ、板バネ、細長いゴム、細長いウレタンゴム等のような弾性部材から選ばれたものをもって構成されており、この実施の形態においては、長手方向を有する細長い引張コイルばねが、第１の作動片３０と第２の作動片３２とを、保持部材１６の空間内で保持部材１６の長手方向において、第１の作動片３０と第２の作動片３２とを逆方向に移動させるとともに、保持部材１６を構成する第１の作動片３０の突き合わせ縁３０ａと第２の作動片３２の突き合わせ縁３２ａが保持部材１６の被綴じ物載置部２２の内面に近づいた方向、すなわち綴杆２０を上にしたときにおいて山折り状態に保持されるように設けられている。
【００２８】
開閉部材４０は、その一端が一方の作動片、すなわち第１の作動片３０の下側面に形成された係止凸部３０ｃに固定され、開閉部材４０の他端は、他方の作動片、すなわち第２の作動片３２の下面に形成された係止凸部３２ｃに固定されている。
【００２９】
係止凸部３０ｃは、第１の作動片３０の長手方向の中心より第１の綴杆１２及び第２の綴杆１４を開くときに第１の作動片３０の移動する方向側にずれた位置に形成され、係止凸部３２ｃは、第２の作動片３２の長手方向の中心より第１の綴じ杆１２及び第２の綴じ杆１４を開くときに第２の作動片３２の移動する方向側にずれた位置に形成されている。
【００３０】
開閉部材４０は、第１の作動片３０と第２の作動片３２との突き合わせ縁３０ａおよび突き合わせ縁３２ａが、綴杆２０を上にしたときにおいて谷折り状態（第４図図示）、すなわち保持部材１６の被綴じ物載置部２２の内面より離れた状態に保持された状態にあるときに、伸展した状態となるように、第１の作動片３０と第２の作動片３２との間において斜めに架け渡され、この状態において、元の状態に戻ろうとする力が働くように構成されている。
【００３１】
開閉部材４０は、第１の作動片３０および第２の作動片３２のそれぞれの長手方向、すなわち第１の作動片３０の半割杆１２ａを固定する部位と半割杆１４ａを固定する部位とを結ぶ線（前後軸Ｘ1（第１２図図示））および第２の作動片３２の半割杆１２ｂを固定する部位と半割杆１４ｂを固定する部位とを結ぶ線（前後軸Ｘ2（第１２図図示））と斜めに交差する方向に架け渡されている。
【００３２】
そして、作動部材１８を構成する第１の作動片３０と第２の作動片３２とは、第１の綴杆１２と第２の綴杆１４を開き始めたとき、すなわち、第１の綴杆１２と第２の綴杆１４のそれぞれの係止部５０を指で外したとき、開閉部材４０が元の状態に戻ろうとして、すなわち、伸びていた開閉部材４０が縮む方向に作用し、第１の綴杆１２の半割杆１２ａと半割杆１２ｂとが離れる方向（半割杆１２ａはＯ1方向で、半割杆１２ｂはＯ2方向（第２図図示））および第２の綴杆１４の半割杆１４ａと半割杆１４ｂとが離れる方向（半割杆１４ａはＯ1方向で、半割杆１４ｂはＯ2方向（第２図図示））に移動するように作用して、第１の作動片３０と第２の作動片３２とをそれぞれ逆方向に移動させるように作用する。
【００３３】
すなわち、第１の作動片３０は、係止部５０を外す方向（Ｏ1方向）に移動し、第２の作動片３２は、係止部５０を外す方向（Ｏ2方向）に移動する。
【００３４】
さらに、開閉部材４０は、半割杆１２ａと半割杆１２ｂとをおよび半割杆１４ａと半割杆１４ｂとを円周方向（第１２図  左右軸Ｙ1および左右軸Ｙ2方向）に引き離すように作用する。
【００３５】
作動部材１８を構成する第１の作動片３０と第２の作動片３２は、綴杆２０を上にしたときにおいて、谷折りの状態から徐々に平面状態となり、そして平面状態から山折りの状態に変わる。
【００３６】
そして、開閉部材４０は、第１の綴杆１２と第２の綴杆１４とを開いた状態にしたとき、第１の作動片３０の突き合わせ縁３０ａと第２の作動片３２の突き合わせ縁３２ａとが綴杆２０を上にしたときにおいて山折り状態、すなわち、保持部材１６の被綴じ物載置部２２の内側面に近づいた状態に保持するように作用する。
【００３７】
作動部材１８を構成する第１の作動片３０と第２の作動片３２は、前記したように作用するが、第１の作動片３０と第２の作動片３２とがずれることなく突き合わせ縁３０ａと突き合わせ縁３２ａとを中心にして回動することができるように、第１の作動片３０には、突き合わせ縁３０ａ側より突き合わせ縁３２ａ側に向けてやや下向きに突き出されたずれ防止用突片３０ｅが形成され、第２の作動片３２には、突き合わせ縁３２ａ側より突き合わせ縁３０ａ側に向けてやや下向きに突き出されたずれ防止用突片３２ｅが形成されている。
【００３８】
第１の綴杆１２は、略円環状となるように、半円弧状の半割杆１２ａと半割杆１２ｂとから構成され、第２の綴杆１４は、略円環状となるように、半円弧状の半割杆１４ａと半割杆１４ｂとから構成されている。そして、用紙Ｐに予め穿設された綴じ孔に挿通して、用紙Ｐを綴じることができるように、半割杆１２ａおよび半割杆１２ｂと、半割杆１４ａと半割杆１４ｂの先端、すなわち第１の綴杆１２および第２の綴杆１４の頂部において、係止部５０が形成されている。
【００３９】
第１の綴杆１２を構成する半割杆１２ａと半割杆１２ｂとは、半割杆１２ａの係止部５０と、半割杆１２ｂの係止部５０とを係止することにより、環状に係合される。
また、第２の綴杆１４を構成する半割杆１４ａと半割杆１４ｂとは、半割杆１４ａの係止部５０と半割杆１４ｂの係止部５０とを係止することにより、環状に係合される。
【００４０】
第１の綴杆１２と第２の綴杆１４とは、それぞれの基部が第１の作動片３０と第２の作動片３２に固着された部分（４箇所）を通る左右軸Ｙ1，Ｙ2および前後軸Ｘ1，Ｘ2（第１２図図示）を含む平面ＰXYと垂直な平面を構成するように、第１の作動片３０と第２の作動片３２より立設されている。そして、第１の綴杆１２の軸Ｚ1（第１３図図示）が構成する円形面と第２の綴杆１４の軸Ｚ2（第１３図図示）が構成する円形面とは、平行で、且つ、第１の綴杆１２と第２の綴杆１４が第１の作動片３０と第２の作動片３２と固着された部位を通る平面ＰXYと垂直となるように構成されている。
【００４１】
前記綴杆２０は、第８図〜第１１図に示すように、直接指で閉じられる主綴杆たる第１の綴杆１２と、該第１の綴杆１２の閉じる方向に向けての作動に追動する副綴杆たる第２の綴杆１４とにより構成され、綴杆２０が閉じられるとき、第２の綴杆１４を構成する一対の半割杆１４ａと半割杆１４ｂの先端どうしが突き当たったとき、第１の綴杆１２を構成する一対の半割杆１２ａと半割杆１２ｂの先端の間に間隙（０．５ｍｍ〜１ｍｍの間隔）が形成されるように、第１の綴杆１２及び第２の綴杆１４が形成されている。
この実施の形態においては、主として図９において示すように、第１の作動片３０及び第２の作動片３２の表面（平面）との取付角度に差が設けられている。すなわち、第２の綴杆１４の半割杆１４ａ及び半割杆１４ｂの基部の中心１４ｏと先端部１４ｘとを結ぶ線１４Ｌと第２の作動片３２及び第１の作動片３０の表面（基部の中心１４ｏ）に垂直に交わる線３２Ｌとの間の角度θ1と第１の綴杆１２の半割杆１２ａ及び半割杆１２ｂの基部の中心１２ｏと先端部１２ｘとを結ぶ線１２Ｌと第２の作動片３２及び第１の作動片３０の表面（基部の中心１２ｏ）に垂直に交わる線３２Ｌとの間の角度θ2との間に差が設けられ、θ1の方がθ2より０．５７°〜１．１４°大きく、第１の綴杆１２の先端部１２ｘの方が第２の綴杆１４の先端部１４ｘより外側（接線方向）に開いている。
【００４２】
θ1とθ2との差が０．５７°よりも小さいときは、綴杆２０を閉じるときにその差が少なく、主綴杆たる第１の綴杆１２と副綴杆たる第２の綴杆１４とが係止され始めるときに、第１の綴杆１２の半割杆１２ａの先端と半割杆１２ｂの先端との間隔が短くなって第２の綴杆１４が第１の綴杆１２に追動せず、第２の綴杆１４が確実に係止される前に第１の綴杆１２が係止されて第２の綴杆１４が確実に係止されないおそれがある。
θ1とθ2との差が１．１４°よりも大きいときは、綴杆２０を閉じるとき、第２の綴杆１４が確実に係止された後にも第１の綴杆１２の半割杆１２ａの先端と半割杆１２ｂの先端との間隔が相当あり、第１の綴杆１２が確実に係止される妨げとなるおそれがある。
【００４３】
この実施の形態においては、第１の綴杆１２を構成する半割杆１２ａ及び半割杆１２ｂと第２の綴杆１４を構成する半割杆１４ａ及び半割杆１４ｂとが同じ形状、すなわち曲率（曲率半径）が同じもので、第１の作動片３０及び第２の作動片３２への取付角度に差を設けたが、第１の綴杆１２の曲率と第２の綴杆１４の曲率との間に差が設けられ、第２の綴杆１４の曲率は第１の綴杆１２の曲率より大きいようにしてもよい。
また、前記実施の形態においては、第１の綴杆１２を構成する半割杆１２ａと半割杆１２ｂとの間において取付角度（及び曲率）を同じ構成にしたが、半割杆１２ａと半割杆１２ｂとの間に差を設けてもよい。
【００４４】
第１の綴杆１２を構成する半割杆１２ａの先端に形成された係止部５０を構成する先端の凸部５２ａとその凸部５２ａに続く凹部５２ｂと、半割杆１２ｂの係止部５０を構成する先端の凸部５４ａとその先端の凸部５４ａに続く凹部５４ｂとは、第１の綴杆１２を閉じたとき係合するように逆方向に向けて突き出しあるいは凹み形成されている。凸部５２ａと凸部５４ａとは、それぞれ先端から内側に向けて傾斜縁５２ｃと傾斜縁５４ｃを備えており、凸部５２ａの傾斜縁５２ｃと凸部５４ａの傾斜縁５４ｃとがすべりながら、第１の綴杆１２を開閉することができるように形成されている。
【００４５】
また、第２の綴杆１４を構成する半割杆１４ａの先端に形成された係止部５０を構成する凸部５６ａとその凸部５６ａに続く凹部５６ｂと、半割杆１４ｂの係止部５０を構成する先端の凸部５８ａとその先端の凸部５８ａに続く凹部５８ｂとは、第２の綴杆１４を閉じたとき係合するように逆方向に向けて突き出しあるいは凹み形成されている。凸部５６ａと凸部５８ａとは、それぞれ先端から内側に向けて傾斜縁５６ｃと傾斜縁５８ｃを備えており、凸部５６ａの傾斜縁５６ｃと凸部５８ａの傾斜縁５８ｃとがすべりながら、第２の綴杆１４を開閉することができるように形成されている。
【００４６】
また、半割杆１２ａの係止部５０を構成する凸部５２ａと半割杆１４ａの係止部５０を構成する凸部５６ａとは、同一方向に向けて突き出し設けられている。
また、半割杆１２ｂの係止部５０を構成する凹部５４ｂと半割杆１４ｂの係止部５０を構成する凹部５８ｂとは、同一方向に向けて凹み形成されている。
【００４７】
第１の綴杆１２を２本の指で挟んで綴杆２０を閉じ始めるとき、第１の綴杆１２の半割杆１２ａの凸部５２ａと第１の綴杆１２の半割杆１２ｂのと凹部５４ｂとが当接する前に、第２の綴杆１４の半割杆１４ａの凸部５６ａと第２の綴杆１４の半割杆１４ｂの凸部５８ａとが当接し、更に第１の綴杆１２を閉じるように作動させると、第２の綴杆１４の半割杆１４ａの凸部５６ａの傾斜縁５６ｃ上を第２の綴杆１４の半割杆１４ｂの凸部５８ａの傾斜縁５８ｃが摺動する。
更に、第１の綴杆１２を閉じるように作動させると、第１の綴杆１２の半割杆１２ａの凸部５２ａと第１の綴杆１２の半割杆１２ｂの凸部５４ａとが当接する。更に、第１の綴杆１２を閉じるように作動させると、第１の綴杆１２の半割杆１２ａの凸部５２ａの傾斜縁５２ｃ上を第１の綴杆１２の半割杆１２ｂの凸部５４ａの傾斜縁５４ｃが摺動し、一方第２の綴杆１４の半割杆１４ａの凸部５６ａ（半割杆１４ｂの凸部５８ａ）が半割杆１４ｂの凹部５８ｂ（半割杆１４ａの凹部５６ｂ）に嵌まり込み始め、第１の綴杆１２を更に閉じると第２の綴杆１４の半割杆１４ａの凸部５６ａ（半割杆１４ｂの凸部５８ａ）が半割杆１４ｂの凹部５８ｂ（半割杆１４ａの凹部５６ｂ）に嵌まり込む。
第１の綴杆１２は、更に閉じると、第２の綴杆１４と同様に半割杆１２ａの凸部５２ａ（半割杆１２ｂの凸部５４ａ）が半割杆１２ｂの凹部５４ｂ（半割杆１２ａの凹部５２ｂ）に嵌まり込む。
【００４８】
したがって、主綴杆たる第１の綴杆１２を閉じ始めると、直接指で閉じられない副綴杆たる第２の綴杆１４が先に係止され始め、更に第１の綴杆１２が閉じて係止され始めると、第２の綴杆１４の係止が進み第１の綴杆１２より先に第２の綴杆１４が完全に係止されるので、直接指で閉じられない副綴杆が確実に係止された後、直接指で第１の綴杆１２が確実に係止される。
【００４９】
凸部５２ａの先端縁５２ｄと凸部５２ａの後端縁５２ｅ（凹部５２ｂの前壁面に同じ）と凹部５２ｂの後壁面５２ｆとは、第１の作動片３０及び第２の作動片３２の突き合わせ縁（保持部材１６の長手方向の中心線）と平行に形成されている。
凸部５４ａの先端縁５４ｄと凸部５４ａの後端縁５４ｅ（凹部５４ｂの前壁面に同じ）と凹部５４ｂの後壁面５４ｆとは、第１の作動片３０及び第２の作動片３２の突き合わせ縁（保持部材１６の長手方向の中心線）と平行に形成されている。
凸部５６ａの先端縁５６ｄと凸部５６ａの後端縁５６ｅ（凹部５６ｂの前壁面に同じ）と凹部５６ｂの後壁面５６ｆとは、第１の作動片３０及び第２の作動片３２の突き合わせ縁（保持部材１６の長手方向の中心線）と平行に形成されている。
凸部５８ａの先端縁５８ｄと凸部５８ａの後端縁５８ｅ（凹部５８ｂの前壁面に同じ）と凹部５８ｂの後壁面５８ｆとは、第１の作動片３０及び第２の作動片３２の突き合わせ縁（保持部材１６の長手方向の中心線）と平行に形成されている。
したがって、第１の綴杆１２の係止部５０を、第１の綴杆１２の頂部を指でねじることにより外すことができる。
【００５０】
第１の綴杆１２の係止部５０を指で外すと、第１の作動片３０と第２の作動片３２とが、開閉部材４０が元の状態に戻ろうとする力、すなわち縮まろうとする力が働くことにより、第１の作動片３０と第２の作動片３２とが逆方向に移動する。すなわち、第２の綴杆１４を構成する半割杆１４ａの凸部５６ａと半割杆１４ｂの凸部５８ａとを引き離す方向に作用して、第１の綴杆１２の半割杆１２ａの凸部５２ａと半割杆１２ｂの凸部５４ａとを引き離す方向に作用するとともに、第２の綴杆１４を構成する半割杆１４ａの凸部５６ａと半割杆１４ｂの凸部５８ａとを引き離すように作用する。
【００５１】
このように、この実施の形態においては、第１の綴杆１２および第２の綴杆１４の頂部を指でねじることにより、第１の綴杆１２の半割杆１２ａおよび半割杆１２ｂの係止部５０と、第２の綴杆１４の半割杆１４ａおよび半割杆１４ｂの係止部５０を外すことができる。
すなわち、綴杆２０を開くとき、第１の綴杆１２と第２の綴杆１４とは、同一方向に向けて、その係止部５０を指で外すことができるように構成されている。
【００５２】
また、第１の綴杆１２の半割杆１２ａと半割杆１２ｂの係止部５０および第２の綴杆１４の半割杆１４ａと半割杆１４ｂの係止部５０を係合させたとき、第１の作動片３０の突き合わせ縁３０ａと第２の作動片３２の突き合わせ縁３２ａとが、綴杆２０を上にしたときにおいて谷折り状態になり、第１の作動片３０と第２の作動片３２とが綴杆２０を上にしたときにおいて谷折り状態において、開閉部材４０が第１の作動片３０と第２の作動片３２とを突き合わす方向に向けて収縮するように作用するため、第１の綴杆１２の係止部５０の係合状態および第２の綴杆１４の係止部５０の係合状態を維持することができる。
【００５３】
綴具１０を表紙Ａに取り付けるには、保持壁２４ａおよび保持壁２４ｂの下端縁を接合して取付孔９０，９０にボルトナットにより取り付ければよい。さらに、第１４図に示すように、適宜空間を設けるためのスペーサ６０を介在させて取り付けてもよい。
【００５４】
また、前記実施の形態においては、第１の綴杆１２と第２の綴杆１４といったように、２穴タイプの綴具について説明したが、綴杆を増やした多穴タイプ、例えば、３穴、４穴、２０穴、２６穴、３０穴といった多くの綴杆を備えた綴具とすることができる。また、綴杆の形状は、円弧状の真円型、楕円型であってもよい。
【００５５】
次に、本発明にかかる別の実施の形態について、主として第１５図および第１６図に基づいて説明する。
【００５６】
この実施の形態の綴具１１０は、前記実施の形態の綴具１０と略同様の構成であるが、主として、作動部材および開閉部材が異なるので、それらを中心に、以下説明する。
【００５７】
この綴具１１０を構成する第１の作動片１３０の突き合わせ縁１３０ａの略中央付近には、切り欠き部１３０ｃが形成され、且つ、第２の作動片１３２の突き合わせ縁１３２ａの略中央付近にも、切り欠き部１３２ｃが形成されるとともに、前記切り欠き部１３０ｃの一方端には、開閉部材１４０を係止する第１固定部１３０ｄが突設され、且つ、前記切り欠き部１３２ｃの一方端には、開閉部材１４０を係止する第２固定部１３２ｄが突設されている。
【００５８】
前記第１固定部１３０ｄと前記第２固定部１３２ｄとは、第１の作動片１３０に第１の綴杆１１２が固定された基部を結ぶ線Ｘ1、または第２の作動片１３２に第２の綴杆１１４が固定された基部を結ぶ線Ｘ2の延びる方向に離れて形成されている。
【００５９】
そして、開閉部材１４０は、切り欠き部１３０ｃの開口部と切り欠き部１３２ｃの開口部とが向き合って形成される空間内に添装され、その一端は、第１固定部１３０ｄに係止され、その他端は、第２固定部１３２ｄに係止される。さらに、開閉部材１４０の一方の先端１４０ａは、第１固定部１３０ｄから延びて、第２の作動片１３２の裏側に係止されるとともに、開閉部材１４０の他方の先端１４０ｂは、第２固定部１３２ｄから延びて第１の作動片１３０の裏側に係止される。
【００６０】
而して、開閉部材１４０は、第１の作動片１３０と第２の作動片１３２との突き合わせ縁１３０ａおよび突き合わせ縁１３２ａが、綴杆１２０を上にしたときにおいて谷折り状態、すなわち保持部材１１６の被綴じ物載置部１２２の内面より離れた状態に保持された状態にあるときに、第１の作動片１３０と第２の作動片１３２を幅方向に引き離そうとするように、第１の作動片１３０と第２の作動片１３２との間において斜めに架け渡され、この状態において、伸びようとする力、すなわち弾発力が働くように構成されている。
【００６１】
開閉部材１４０は、第１の作動片１３０および第２の作動片１３２のそれぞれの長手方向、すなわち第１の作動片１３０の半割杆１１２ａを固定する部位（基部）と半割杆１１４ａを固定する部位（基部）とを結ぶ線（Ｘ1（第１５図図示））および第２の作動片１３２の半割杆１１２ｂを固定する部位（基部）と半割杆１１４ｂを固定する部位（基部）とを結ぶ線（Ｘ2（第１５図図示））と斜めに交差する方向に架け渡されている。さらに、開閉部材１４０が閉じた状態にあるときは、開閉部材１４０の一方の先端１４０ａが第２の作動片１３２に係止され且つ開閉部材１４０の他方の先端１４０ｂが第１の作動片１３０に係止されてねじられた状態になる。
【００６２】
そして、開閉部材１４０の弾性により、作動部材１１８を構成する第１の作動片１３０と第２の作動片１３２とは、第１の綴杆１１２と第２の綴杆１１４を手で開き始めたとき、すなわち、第１の綴杆１１２と第２の綴杆１１４のそれぞれの係止部１５０を外したとき、第１の綴杆１１２の半割杆１１２ａと半割杆１１２ｂとが離れる方向（半割杆１１２ａはＯ1方向で、半割杆１１２ｂはＯ2方向（第１６図図示））および第２の綴杆１１４の半割杆１１４ａと半割杆１１４ｂとが離れる方向（半割杆１１４ａはＯ1方向で、半割杆１１４ｂはＯ2方向（第１６図図示））に移動するとともに、ねじられていた開閉部材１４０が元の状態に戻ろうとして、半割杆１１２ａと半割杆１１２ｂとをおよび半割杆１１４ａと半割杆１１４ｂとを円周方向（半割杆１１２ａおよび半割杆１１４ａはＯ3方向、半割杆１１２ｂおよび半割杆１１４ｂはＯ4方向）に引き離すように作用する。
【００６３】
すなわち、開閉部材１４０の弾性により、第１の作動片１３０は、係止部１５０を外す方向（Ｏ1方向）に移動し、第２の作動片１３２は、係止部１５０を外す方向（Ｏ2方向）に移動する。
【００６４】
作動部材１１８を構成する第１の作動片１３０と第２の作動片１３２は、綴杆１２０を上にしたときにおいて、谷折り状態から徐々に平面状態となり、そして平面状態から山折り状態に変わる。
【００６５】
そして、開閉部材１４０は、第１の綴杆１１２と第２の綴杆１１４とを開いた状態にしたとき、第１の作動片１３０の突き合わせ縁１３０ａと第２の作動片１３２の突き合わせ縁１３２ａとが綴杆１２０を上にしたときにおいて山折り状態、すなわち、保持部材１１６の被綴じ物載置部１２２の内側面に近づいた状態に保持するように作用する。
【００６６】
次に、本発明にかかるさらに別の実施の形態について、主として第１７図および第１８図に基づいて説明する。
【００６７】
この実施の形態の綴具２１０は、前記実施の形態の綴具１０と略同様の構成であるが、主として、開閉部材の架け渡し構造が異なるので、それらを中心に、以下説明する。
【００６８】
開閉部材２４０は、２本の弾性部材（第１の開閉部材２４２および第２の開閉部材２４４）からなり、開閉部材２４０を構成する一方の第１の開閉部材２４２は、その一端が一方の作動片、すなわち第１の作動片２３０の下側面に形成された係止凸部２３０ｃに固定され、第１の開閉部材２４２の他端は、他方の作動片、すなわち第２の作動片２３２を跨いで保持部材２１６の一方の保持壁２２４ｂの下面に形成された係止凸部２３２ｄに固定されている。また、開閉部材２４０を構成する他方の第２の開閉部材２４４は、その一端が他方の作動片、すなわち第２の作動片２３２の下側面に形成された係止凸部２３２ｃに固定され、第２の開閉部材２４４の他端は、他方の作動片、すなわち第１の作動片２３０を跨いで保持部材２１６の他方の保持壁２２４ａの下面に形成された係止凸部２３０ｄに固定されている。
【００６９】
開閉部材２４０は、第１の作動片２３０と第２の作動片２３２との突き合わせ縁２３０ａおよび突き合わせ縁２３２ａが、綴杆２２０を上にしたときにおいて谷折り状態、すなわち保持部材２１６の被綴じ物載置部２２２の内面より離れた状態に保持された状態にあるときに、伸展した状態となるように、第１の作動片２３０と保持壁２２４ｂおよび第２の作動片２３２と保持壁２２４ａとの間において斜めに架け渡され、この状態において、元の状態に戻ろうとする力が働くように構成されている。
【００７０】
開閉部材２４０は、第１の作動片２３０および第２の作動片２３２のそれぞれの長手方向、すなわち第１の作動片２３０の半割杆２１２ａを固定する部位（基部）と半割杆２１４ａを固定する部位（基部）とを結ぶ線（Ｘ1（第１７図図示））および第２の作動片２３２の半割杆２１２ｂを固定する部位（基部）と半割杆２１４ｂを固定する部位（基部）とを結ぶ線（Ｘ2（第１７図図示））と斜めに交差する方向に架け渡されている。
【００７１】
そして、作動部材２１８を構成する第１の作動片２３０と第２の作動片２３２とは、第１の綴杆２１２と第２の綴杆２１４を手で開き始めたとき、すなわち、第１の綴杆２１２と第２の綴杆２１４のそれぞれの係止部２５０を外したとき、第１の綴杆２１２の半割杆２１２ａと半割杆２１２ｂとが離れる方向（半割杆２１２ａはＯ1方向で、半割杆２１２ｂはＯ2方向（第１８図図示））および第２の綴杆２１４の半割杆２１４ａと半割杆２１４ｂとが離れる方向（半割杆２１４ａはＯ1方向で、半割杆２１４ｂはＯ2方向（第１８図図示））に移動するとともに、開閉部材２４０が元の状態に戻ろうとして、すなわち、伸びていた開閉部材２４０が縮む方向に作用し、半割杆２１２ａと半割杆２１２ｂとをおよび半割杆２１４ａと半割杆２１４ｂとを引き離すように円周方向（半割杆２１２ａおよび半割杆２１４ａはＯ3方向、半割杆２１２ｂおよび半割杆２１４ｂはＯ4方向）に作用する。
【００７２】
すなわち、開閉部材２４０の弾性により、第１の作動片２３０は、係止部２５０を外す方向（Ｏ1方向）に移動し、第２の作動片２３２は、係止部２５０を外す方向（Ｏ2方向）に移動する。
【００７３】
作動部材２１８を構成する第１の作動片２３０と第２の作動片２３２は、綴杆２２０を上にしたときにおいて、谷折り状態から徐々に平面状態となり、そして平面状態から山折り状態に変わる。
【００７４】
そして、開閉部材２４０は、第１の綴杆２１２と第２の綴杆２１４とを開いた状態にしたとき、第１の作動片２３０の突き合わせ縁２３０ａと第２の作動片２３２の突き合わせ縁２３２ａとが綴杆２２０を上にしたときにおいて山折り状態、すなわち、保持部材２１６の被綴じ物載置部２２２の内側面に近づいた状態に保持するように作用する。
【００７５】
次に、本発明にかかる更に別の実施の形態について、以下に説明する。
【００７６】
第１９図は、本発明にかかる更に別の実施の形態の綴具の閉じた状態における底面図であり、第２０図は、閉じた状態から開いた状態に移るときにおける綴具の底面図であり、第２１図は、開いた状態における綴具の底面図であり、第２２図は、閉じた状態における綴具の第１９図図示Ａ−Ａ断面図であり、第２３図は、開いた状態における綴具の第２１図図示Ａ−Ａ断面図である。第２４図は、閉じた状態における第１９図図示Ｂ−Ｂ断面図であり、第２５図は、開いた状態における綴具の第２１図図示Ｂ−Ｂ断面図である。第２６図は、閉じた状態における綴具の平面図であり、第２７図は、開いた状態における綴具の平面図である。第２８図は、作動片の底面図であり、第２９図は、第２８図図示Ａ−Ａ断面図である。第３０図および第３１図は、綴具の構成を示す図解図である。第３２図は、閉じかけた状態における綴杆の係止部近傍の平面図解図である。第３３図は、閉じかけた状態における第１の綴杆の正面図であり、第３４図は、閉じかけた状態における第２の綴杆の正面図であり、第３５図は、綴具の閉じる作動状況を示す係止部近傍を示す平面図解図である。
【００７７】
綴具３１０は、一対のそれぞれ略円環状の金属製の第１の綴杆３１２および第１の綴杆３１２と一対の第２の綴杆３１４と、前記第１の綴杆３１２および第２の綴杆３１４をそれぞれ間隔をおいて設けることができる長さを備えた保持部材３１６と、その表面に第１の綴杆３１２および第２の綴杆３１４が間隔をおいて第１の綴杆３１２および第２の綴杆３１４のそれぞれの基部が固定され、第１の綴杆３１２および第２の綴杆３１４が前記保持部材３１６に固定されるように保持部材３１６の内側に可動自在に固定された作動部材３１８とを備える。綴具３１０は、保持部材３１６の取付孔３９０により、表紙に取り付けられる。
【００７８】
この綴具３１０の綴杆３２０は、主綴杆たる第１の綴杆３１２と副綴杆たる第２の綴杆３１４とからなる開閉自在の２穴タイプである。
第１の綴杆３１２と第２の綴杆３１４とは、同一方向に向けて、その係止部３５０を指で外すことができるように構成されている。
そして、綴杆３２０を閉じるときは、主綴杆たる第１の綴杆３１２を、例えば親指と人差し指で直接挟んで閉じるように構成されており、第１の綴杆３１２を２本の指で挟んで閉じる方向に作動させると、副綴杆たる第２の綴杆３１４は追動するように構成されている。
綴杆３２０は、閉じるとき、主綴杆たる第１の綴杆３１２の半割杆３１２ａの先端と半割杆３１２ｂの先端とが突き当たる前に、副綴杆たる第２の綴杆３１４の半割杆３１４ａの先端と半割杆３１４ｂの先端とが突き当たり係止され始めるように構成されている。
【００７９】
保持部材３１６は、第１の綴杆３１２と第２の綴杆３１４とを所定の間隔をおいて設けることができる長さを備える平面略長方形で、その両端、すなわち表紙Ａに取り付ける取付孔３９０近傍においては、平面略半円弧状に形成されている。
【００８０】
保持部材３１６は、第１の綴杆３１２および第２の綴杆３１４を固定する部位より長手方向における外側近傍より内側に向かって、その中央が膨出した断面略半円弧状の被綴じ物載置部３２２を備え、且つ、被綴じ物載置部３２２の内側は空間を備え、その空間に作動部材３１８等を収容するように構成されている。
【００８１】
保持部材３１６の被綴じ物載置部３２２の両端には、その長手方向に略その一端から他端に亘って、作動部材３１８を摺動自在に保持する保持壁が設けられている。この実施の形態においては、保持部材３１６の長手方向において、第１の綴杆３１２および第２の綴杆３１４のそれぞれの外側近傍より内部に亘って略全体において垂下されるように、第１保持壁３２４ａおよび第２保持壁３２４ｂがそれぞれ適宜な間隔をおいて平行となるように、連設されている。さらに、第１保持壁３２４ａおよび第２保持壁３２４ｂの下端縁より内側に向けて、適宜な間隔をおいて、保持用凸部３２４ｃおよび保持用凸部３２４ｄが突設されており、保持用凸部３２４ｃが第１の作動片３３０の外側縁３３０ｂの近傍を、および保持用凸部３２４ｄが第２の作動片３３２の外側縁３３２ｂの近傍をそれぞれ保持し、保持部材３１６から第１の作動片３３０及び第２の作動片３３２が抜けないように形成されている。
【００８２】
そして、この第１保持壁３２４ａおよび第２保持壁３２４ｂと被綴じ物載置部３２２によって囲繞された空間内に、後に詳しく説明する作動部材３１８等が収容される。
【００８３】
保持部材３１６の被綴じ物載置部３２２には、第１の綴杆３１２と第２の綴杆３１４とを、一定の間隔（日本工業規格等で決められている一定の長さ）をおいて遊貫するための第１の貫通孔３２６と第２の貫通孔３２８がそれぞれ穿設されている。
【００８４】
第１の貫通孔３２６と第２の貫通孔３２８とは、第１の綴杆３１２と第２の綴杆３１４を構成する半割杆３１２ａおよび半割杆３１２ｂと、第２の綴杆３１４を構成する半割杆３１４ａおよび半割杆３１４ｂとに対応して、保持部材３１６の幅方向において左右に分かれて一定の間隔をおいて、２つずつ穿設されている。
【００８５】
作動部材３１８は、平面略長方形状金属製平板からなる一対の第１の作動片３３０および第２の作動片３３２からなる。
【００８６】
第１の作動片３３０と第２の作動片３３２とは、略同一形状で保持部材３１６の空間内において各々その長手方向において並置したとき、各々その内側縁を屈曲自在に係合するように、第１の作動片３３０の内側に略直線状の突き合わせ縁３３０ａ及び第２の作動片３３２の内側に略直線状の突き合わせ縁３３２ａが形成され、第１の作動片３３０の外側に略直線状の外側縁３３０ｂ及び第２の作動片３３２の外側に略直線状の外側縁３３２ｂが形成されている。
【００８７】
すなわち、その突き合わせ縁３３０ａおよび突き合わせ縁３３２ａを突き合わせ且つ外側縁３３０ｂおよび外側縁３３２ｂが保持部材３１６の第１保持壁３２４ａおよび第２保持壁３２４ｂの両壁内内側面に接合される。
【００８８】
第１の作動片３３０の突き合わせ縁３３０ａには、第２の作動片３３２に向けて、ずれ防止用の突片３３０ｅがやや下向きに突設され、且つ第２の作動片３３２の突き合わせ縁３３２ａには、第１の作動片３３０に向けて、ずれ防止用の突片３３２ｅがやや下向きに突設され、突き合わされた第１の作動片３３０と第２の作動片３３２とが突き合わせ縁３３０ａ及び突き合わせ縁３３２ａを中心に回動するときにずれないように構成されている。
【００８９】
また、第１の作動片３３０の突き合わせ縁３３０ａには、第２の作動片３３２に向けて摺動幅規制用の摺動凸部３３０ｆが形成され、且つ摺動凸部３３０ｆと適宜な間隔をおいて摺動凹部３３０ｇが形成されるとともに、第２の作動片３３２の突き合わせ縁３３２ａには、第１の作動片３３０の前記摺動凹部３３０ｇに対応する位置に第１の作動片３３０に向けて摺動凸部３３２ｆが形成され、且つ第１の作動片３３０の前記摺動凸部３３０ｆに対応する位置に摺動凹部３３２ｇが形成されている。第１の作動片３３０の摺動凸部３３０ｆは、第２の作動片３３２の摺動凹部３３２ｇの長手方向における長さ内にて、第２の作動片３３２の摺動凸部３３２ｆは第１の作動片３３０の摺動凹部３３０ｇの長手方向における長さ内で移動する。
【００９０】
そして、第１の作動片３３０および第２の作動片３３２は、外側から力が加わらないときには、第１の作動片３３０と第２の作動片３３２とが水平な面に並置された状態、すなわち保持部材３１６の被綴じ物載置部３２２の内面より離れた方向（突き合わせ縁３３０ａおよび突き合わせ縁３３２ａが、第３０図図示平面ＰXYと略々同一の位置）に向いて、あるいはまた、綴杆３２０を上にしたときにおいて山折り、すなわち保持部材３１６の被綴じ物載置部３２２の内面に近づいた方向（突き合わせ縁３３０ａおよび突き合わせ縁３３２ａが第３０図図示平面ＰXYより上側）に向いて、その水平面状態または綴杆３２０を上にしたときにおいてその山折りの状態を維持するように、保持部材３１６の内側空間部に内設されている。平面ＰXYとは、第１の綴杆３１２と第２の綴杆３１４それぞれの基部が第１の作動片３３０と第２の作動片３３２に固着された部分（４箇所）を通る左右軸Ｙ1，Ｙ2および前後軸Ｘ1，Ｘ2（第３０図図示）を含む平面のことである。
【００９１】
作動部材３１８は、一方の作動片、すなわち第１の作動片３３０における保持部材３１６の被綴じ物載置部３２２の内側面と対向する表面（すなわち上面）には、第１の綴杆３１２を構成する半割杆３１２ａの基部が固定され、且つ、前記半割杆３１２ａとは一定の間隔をおいて、第２の綴杆３１４を構成する半割杆３１４ａの基部が固定されている。
【００９２】
また、他方の作動片、すなわち第２の作動片３３２における保持部材３１６の被綴じ物載置部３２２と対向する表面（すなわち上面）には、第１の綴杆３１２を構成する半割杆３１２ｂの基部が固定され、且つ、前記半割杆３１２ｂと一定の間隔をおいて、第２の綴杆３１４を構成する半割杆３１４ｂの基部が固定されている。
【００９３】
そして、前記第１の綴杆３１２および第２の綴杆３１４が閉じるときには、第２０図及び第２２図に示すように、作動部材３１８を構成する第１の作動片３３０と第２の作動片３３２とは、その突き合わせ縁３３０ａおよび突き合わせ縁３３２ａが保持部材３１６の内面（被綴じ物載置部３２２の内面）より離れた方向に向いて（すなわち略水平な面に並置された状態）、第１の作動片３３０の突き合わせ縁３３０ａと第２の作動片３３２の突き合わせ縁３３２ａとが突き合わされた状態において保持されるとともに、前記第１の綴杆３１２および第２の綴杆３１４を開くときには、第２３図及び第２５図に示すように、作動部材３１８を構成する第１の作動片３３０と第２の作動片３３２とは、保持部材３１６の内面（被綴じ物載置部３２２の内面）に近づいた方向に向いて（すなわち綴杆３２０を上にしたときにおいて山折り状態、図２３において谷折りに図示）、第２の作動片３３２の突き合わせ縁３３２ａとが突き合わされた状態に保持されるように保持部材３１６内の空間において固定される。
【００９４】
また、作動部材３１８を構成する第１の作動片３３０と第２の作動片３３２とは、保持部材３１６の被綴じ物載置部３２２の内面に近づいた方向、すなわち綴杆３２０を上にしたときにおいて山折りの状態においては、第１の作動片３３０と第２の作動片３３２の長手方向、すなわち第１の作動片３３０と第２の作動片３３２に固着された半割杆３１２ａと半割杆３１４ａとを結ぶ線（前後軸Ｘ1（第３０図図示））および半割杆３１２ｂと半割杆３１４ｂとを結ぶ線（前後軸Ｘ2（第３０図図示））と平行な方向に、第１の作動片３３０と第２の作動片３３２とを移動させることができるように摺動自在に内設されている。
【００９５】
第１の作動片３３０と第２の作動片３３２の下面、すなわち第１の綴杆３１２と第２の綴杆３１４の基部が固着された上面とは反対側の面に、第１の綴杆３１２と第２の綴杆３１４とを開閉方向に変化させる開閉部材３４０が設けられている。
【００９６】
開閉部材３４０は、第１の作動片３３０と第２の作動片３３２とを、保持部材３１６の空間内で保持部材３１６の長手方向において、第１の作動片３３０と第２の作動片３３２とを逆方向に移動させるとともに、作動部材３１８を構成する第１の作動片３３０の突き合わせ縁３３０ａと第２の作動片３３２の突き合わせ縁３３２ａが保持部材３１６の被綴じ物載置部３２２の内面に近づいた方向（すなわち綴杆３２０を上にしたときにおいて山折り状態）に保持されるように設けられている。
【００９７】
前記開閉部材３４０は、細長いコイルバネからなるが、前記開閉部材３４０は、その一端が保持部材３１６の一方の第１保持壁３２４ａの内側の第１固定部３２５ｅに固定され、且つその他端は、第１の作動片３３０及び第２の作動片３３２の長手方向の中心Ｃを挟んで同距離Ｒ1分をあけて、保持部材３１６の前記第１保持壁３２４ａと対向し、それと平行な他方の第２保持壁３２４ｂの内側の第２固定部３２５ｆに固定される（第１９図及び第２８図参照）。
【００９８】
そして、開閉部材３４０は、前記一方の第１保持壁３２４ａ側に固定された一方の略長方形状の第１の作動片３３０を跨いで、前記一方の第１の作動片３３０に突き合わされた他方の第２の作動片３３２に架け渡され、第１綴杆３１２及び第２綴杆３１４の係止部３５０が外されるときに、該第２の作動片３３２が移動する方向に、前記第１固定部３２５ｅと第１の作動片３３０及び第２の作動片３３２の突き合わせ縁３３０ａ及び３３２ａと直交する線（移動方向と直交する軸）よりわずかにずらされ、第２の作動片３３２の第４固定部３３２ｄで保持される。更に、前記第４固定部３３２ｄより一方の第１の作動片３３０に、他方の第２の作動片３３２と一方の第１の作動片３３０の突き合わせ縁３３０ａ及び３３２ａを跨いで架け渡され、第１綴杆３１２及び第２綴杆３１４の係止部３５０が外されるときに、該第１の作動片３３０が移動する方向に、前記第２固定部３２５ｆと第１の作動片３３０及び第２の作動片３３２の突き合わせ長手縁３３０ａ及び３３２ａと直交する縁（移動方向と直交する軸）よりわずかにずらされ、第１の作動片３３０の第３固定部３３０ｄで保持されている。
【００９９】
開閉部材３４０は、全体的には、略Ｚ字状に形成されている。
【０１００】
開閉部材３４０は、第１の作動片３３０の突き合わせ縁３３０ａと第２の作動片３３２の突き合わせ縁３３２ａとが、水平面状態（第２２図及び第２４図図示）、すなわち保持部材３１６の被綴じ物載置部３２２の内面より離れた状態に保持された状態にあるときに、伸展した状態となるように、第１の作動片３３０と第２の作動片３３２との間において斜めに架け渡され、この状態において、元の状態に戻ろうとする力が働くように構成されている。
【０１０１】
開閉部材３４０は、第１の作動片３３０および第２の作動片３３２のそれぞれの長手方向、すなわち第１の作動片３３０の半割杆３１２ａを固定する部位と半割杆３１４ａを固定する部位とを結ぶ線（前後軸Ｘ1（第３０図図示））および第２の作動片３３２の半割杆３１２ｂを固定する部位と半割杆３１４ｂを固定する部位とを結ぶ線（前後軸Ｘ2（第３０図図示））と斜めに交差する方向に架け渡されている。
【０１０２】
そして、作動部材３１８を構成する第１の作動片３３０と第２の作動片３３２とは、第１の綴杆３１２と第２の綴杆３１４を開き始めたとき、すなわち、第１の綴杆３１２と第２の綴杆３１４のそれぞれの係止部３５０を指で外したとき、第２０図に示すように、開閉部材３４０が元の状態に戻ろうとして、すなわち、伸びていた開閉部材３４０が縮む方向に作用し、第１の綴杆３１２の半割杆３１２ａと半割杆３１２ｂとが離れる方向（半割杆３１２ａはＯ1方向で、半割杆３１２ｂはＯ2方向（第２６図図示））および第２の綴杆３１４の半割杆３１４ａと半割杆３１４ｂとが離れる方向（半割杆３１４ａはＯ1方向で、半割杆３１４ｂはＯ2方向（第２６図図示））に移動するように作用して、第１の作動片３３０と第２の作動片３３２とをそれぞれ逆方向に移動させるように作用する。
【０１０３】
すなわち、第１の作動片３３０は、係止部３５０を外す方向（Ｏ1方向）に移動し、第２の作動片３３２は、係止部３５０を外す方向（Ｏ2方向）に移動する。
【０１０４】
さらに、開閉部材３４０は、半割杆３１２ａと半割杆３１２ｂとをおよび半割杆３１４ａと半割杆３１４ｂとを円周方向（第３０図  左右軸Ｙ1および左右軸Ｙ2方向）において引き離すように作用する。
【０１０５】
作動部材３１８を構成する第１の作動片３３０と第２の作動片３３２は、水平面状態から徐々に綴杆３２０を上にしたときにおいて山折り状態に変わる。
【０１０６】
そして、開閉部材３４０は、第１の綴杆３１２と第２の綴杆３１４とを開いた状態にしたとき、第１の作動片３３０の突き合わせ縁３３０ａと第２の作動片３３２の突き合わせ縁３３２ａとが綴杆３２０を上にしたときにおいて山折り状態、すなわち、保持部材３１６の被綴じ物載置部３２２の内側面に近づいた状態に保持するように作用する。
【０１０７】
第１の綴杆３１２は、略円環状となるように、半円弧状の半割杆３１２ａと半割杆３１２ｂとから構成され、第２の綴杆３１４は、略円環状となるように、半円弧状の半割杆３１４ａと半割杆３１４ｂとから構成されている。そして、用紙Ｐに予め穿設された綴じ孔に挿通して、用紙Ｐを綴じることができるように、半割杆３１２ａおよび半割杆３１２ｂと、半割杆３１４ａと半割杆３１４ｂの先端、すなわち第１の綴杆３１２および第２の綴杆３１４の頂部において、係止部３５０が形成されている。
【０１０８】
第１の綴杆３１２を構成する半割杆３１２ａと半割杆３１２ｂとは、半割杆３１２ａの係止部３５０と、半割杆３１２ｂの係止部３５０とを係止することにより、環状に係合される。
【０１０９】
また、第２の綴杆３１４を構成する半割杆３１４ａと半割杆３１４ｂとは、半割杆３１４ａの係止部３５０と半割杆３１４ｂの係止部３５０とを係止することにより、環状に係合される。
【０１１０】
第１の綴杆３１２と第２の綴杆３１４それぞれの基部が第１の作動片３３０と第２の作動片３３２に固着された部分（４箇所）を通る左右軸Ｙ1，Ｙ2および前後軸Ｘ1，Ｘ2（第３０図図示）を含む平面ＰXYと垂直な平面を構成するように、第１の作動片３３０と第２の作動片３３２より立設されている。そして、第１の綴杆３１２の軸Ｚ1（第３１図図示）が構成する円形面と第２の綴杆３１４の軸Ｚ2（第３１図図示）が構成する円形面とは、平行で、且つ、第１の綴杆３１２と第２の綴杆３１４が第１の作動片３３０と第２の作動片３３２と固着された部位を通る平面ＰXYと垂直となるように構成されている。
【０１１１】
前記綴杆３２０は、第３２図ないし第３５図において示すように、直接指で閉じられる主綴杆たる第１の綴杆３１２と、該第１の綴杆３１２の閉じる方向に向けての作動に追動する副綴杆たる第２の綴杆３１４とにより構成され、綴杆３２０が閉じられるとき、第２の綴杆３１４を構成する一対の半割杆３１４ａと半割杆３１４ｂの先端どうしが突き当たったとき、第１の綴杆３１２を構成する一対の半割杆３１２ａと半割杆３１２ｂの先端の間に間隙（０．５ｍｍ〜１ｍｍ）が形成されるように、第１の綴杆３１２及び第２の綴杆３１４が形成されている。
この実施の形態においては、主として図３３及び３４において示すように、第１の作動片３３０及び第２の作動片３３２の表面（平面）との取付角度に差が設けられている。すなわち、第２の綴杆３１４の半割杆３１４ａ及び半割杆３１４ｂの基部の中心３１４ｏと先端部３１４ｘとを結ぶ線３１４Ｌと第２の作動片３３２及び第１の作動片３３０の表面（基部の中心３１４ｏ）に垂直に交わる線３３２Ｌとの間の角度θ1と第１の綴杆３１２の半割杆３１２ａ及び半割杆３１２ｂの基部の中心３１２ｏと先端部３１２ｘとを結ぶ線３１２Ｌと第２の作動片３３２及び第１の作動片３３０の表面（基部の中心３１２ｏ）に垂直に交わる線３３２Ｌとの間の角度θ2との間に差が設けられ、θ1の方がθ2より０．５７°〜１．１４°大きく、第１の綴杆３１２の先端部３１２ｘの方が第２の綴杆３１４の先端部３１４ｘより外側（接線方向）に開いている。
【０１１２】
θ1とθ2との差が０．５７°よりも小さいときは、綴杆３２０を閉じるときにその差が少なく、主綴杆たる第１の綴杆３１２と副綴杆たる第２の綴杆３１４とが係止され始めるときに、第１の綴杆３１２の半割杆３１２ａの先端と半割杆３１２ｂの先端との間隔が短くなって第２の綴杆３１４が第１の綴杆３１２に追動せず、第２の綴杆３１４が確実に係止される前に第１の綴杆３１２が係止されて第２の綴杆３１４が確実に係止されないおそれがある。
θ1とθ2との差が１．１４°よりも大きいときは、綴杆３２０を閉じるとき、第２の綴杆３１４が確実に係止された後にも第１の綴杆３１２の半割杆３１２ａの先端と半割杆３１２ｂの先端との間隔が相当あり、第１の綴杆３１２が確実に係止される妨げとなるおそれがある。
【０１１３】
この実施の形態においては、第１の綴杆３１２を構成する半割杆３１２ａ及び半割杆３１２ｂと第２の杆３１４を構成する半割杆３１４ａ及び半割杆３１４ｂとが同じ形状、すなわち曲率（曲率半径）が同じもので、第１の作動片３３０及び第２の作動片３３２への取付角度に差を設けたが、第１の綴杆３１２の曲率と第２の綴杆３１４の曲率との間に差が設けられ、第２の綴杆３１４の曲率は第１の綴杆３１２の曲率より大きいようにしてもよい。
また、前記実施の形態においては、第１の綴杆３１２を構成する半割杆３１２ａ及び半割杆３１２ｂとの間において取付角度（及び曲率）を同じ構成にしたが、半割杆３１２ａと半割杆３１２ｂとの間に差を設けてもよい。
【０１１４】
第１の綴杆３１２を構成する半割杆３１２ａの先端に形成された係止部３５０を構成する先端の凸部３５２ａとその凸部３５２ａに続く凹部３５２ｂと、半割杆３１２ｂの係止部３５０を構成する先端の凸部３５４ａとその先端の凸部３５４ａに続く凹部３５４ｂとは、第１の綴杆３１２を閉じたとき係合するように逆方向に向けて突き出しあるいは凹み形成されている。凸部３５２ａと凸部３５４ａとは、それぞれ先端から内側に向けて傾斜縁３５２ｃと傾斜縁３５４ｃを備えており、凸部３５２ａの傾斜縁３５２ｃと凸部３５４ａの傾斜縁３５４ｃとがすべりながら、第１の綴杆３１２を開閉することができるように形成されている。
【０１１５】
また、第２の綴杆３１４を構成する半割杆３１４ａの先端に形成された係止部３５０を構成する凸部３５６ａとその凸部３５６ａに続く凹部３５６ｂと、半割杆３１４ｂの係止部３５０を構成する先端の凸部３５８ａとその先端の凸部３５８ａに続く凹部３５８ｂとは、第２の綴杆３１４を閉じたとき係合するように逆方向に向けて突き出しあるいは凹み形成されている。凸部３５６ａと凸部３５８ａとは、それぞれ先端から内側に向けて傾斜縁３５６ｃと傾斜縁３５８ｃを備えており、凸部３５６ａの傾斜縁３５６ｃと凸部３５８ａの傾斜縁３５８ｃとがすべりながら、第２の綴杆３１４を開閉することができるように形成されている。
【０１１６】
また、半割杆３１２ａの係止部３５０を構成する凸部３５２ａと半割杆３１４ａの係止部３５０を構成する凸部３５６ａとは、同一方向に向けて突き出し設けられている。
また、半割杆３１２ｂの係止部３５０を構成する凹部３５４ｂと半割杆３１４ｂの係止部３５０を構成する凹部３５８ｂとは、同一方向に向けて凹み形成されている。
【０１１７】
第１の綴杆３１２を２本の指で挟んで綴杆３２０を閉じ始めるとき、第１の綴杆３１２の半割杆３１２ａの凸部３５２ａと第１の綴杆３１２の半割杆３１２ｂのと凹部３５４ｂとが当接する前に、第２の綴杆３１４の半割杆１４ａの凸部３５６ａと第２の綴杆３１４の半割杆３１４ｂの凸部３５８ａとが当接し、更に第１の綴杆３１２を閉じるように作動させると、第２の綴杆３１４の半割杆３１４ａの凸部３５６ａの傾斜縁３５６ｃ上を第２の綴杆３１４の半割杆３１４ｂの凸部３５８ａの傾斜縁３５８ｃが摺動する。
更に、第１の綴杆３１２を閉じるように作動させると、第１の綴杆３１２の半割杆３１２ａの凸部３５２ａと第１の綴杆３１２の半割杆３１２ｂの凸部３５４ａとが当接する。更に、第１の綴杆３１２を閉じるように作動させると、第１の綴杆３１２の半割杆３１２ａの凸部３５２ａの傾斜縁３５２ｃ上を第１の綴杆３１２の半割杆３１２ｂの凸部３５４ａの傾斜縁３５４ｃが摺動し、一方第２の綴杆３１４の半割杆３１４ａの凸部３５６ａ（半割杆３１４ｂの凸部３５８ａ）が半割杆３１４ｂの凹部３５８ｂ（半割杆３１４ａの凹部３５６ｂ）に嵌まり込み始め、第１の綴杆３１２を更に閉じると第２の綴杆３１４の半割杆３１４ａの凸部３５６ａ（半割杆３１４ｂの凸部３５８ａ）が半割杆３１４ｂの凹部３５８ｂ（半割杆３１４ａの凹部３５６ｂ）に嵌まり込む。
第１の綴杆３１２は、更に閉じると、第２の綴杆３１４と同様に半割杆３１２ａの凸部３５２ａ（半割杆３１２ｂの凸部３５４ａ）が半割杆３１２ｂの凹部３５４ｂ（半割杆３１２ａの凹部３５２ｂ）に嵌まり込む。
【０１１８】
したがって、主綴杆たる第１の綴杆３１２を閉じ始めると、直接指で閉じられない副綴杆たる第２の綴杆３１４が先に係止され始め、更に第１の綴杆３１２が閉じて係止され始めると、第２の綴杆３１４の係止が進み第１の綴杆３１２より先に第２の綴杆３１４が完全に係止されるので、直接指で閉じられない副綴杆が確実に係止された後、直接指で第１の綴杆３１２が確実に係止される。
【０１１９】
凸部３５２ａの先端縁３５２ｄと凸部３５２ａの後端縁３５２ｅ（凹部３５２ｂの前壁面に同じ）と凹部３５２ｂの後壁面３５２ｆとは、第１の作動片３３０及び第２の作動片３３２の突き合わせ縁（保持部材３１６の長手方向の中心線）と平行に形成されている。
凸部３５４ａの先端縁３５４ｄと凸部３５４ａの後端縁３５４ｅ（凹部３５４ｂの前壁面に同じ）と凹部３５４ｂの後壁面３５４ｆとは、第１の作動片３３０及び第２の作動片３３２の突き合わせ縁（保持部材３１６の長手方向の中心線）と平行に形成されている。
凸部３５６ａの先端縁３５６ｄと凸部３５６ａの後端縁３５６ｅ（凹部３５６ｂの前壁面に同じ）と凹部３５６ｂの後壁面３５６ｆとは、第１の作動片３３０及び第２の作動片３３２の突き合わせ縁（保持部材３１６の長手方向の中心線）と平行に形成されている。
凸部３５８ａの先端縁３５８ｄと凸部３５８ａの後端縁３５８ｅ（凹部３５８ｂの前壁面に同じ）と凹部３５８ｂの後壁面３５８ｆとは、第１の作動片３３０及び第２の作動片３３２の突き合わせ縁（保持部材３１６の長手方向の中心線）と平行に形成されている。
したがって、第１の綴杆３１２の係止部３５０を、第１の綴杆３１２の頂部を指でねじることにより外すことができる。
【０１２０】
第１の綴杆３１２の係止部３５０を指で外すと、第１の作動片３３０と第２の作動片３３２とが、開閉部材３４０が元の状態に戻ろうとする力、すなわち縮まろうとする力が働くことにより、第１の作動片３３０と第２の作動片３３２とが逆方向に移動する。すなわち、第２６図及び第２７図に示すように、第２の綴杆３１４を構成する半割杆３１４ａの凸部３５６ａと半割杆３１４ｂの凸部３５８ａとを引き離す方向に作用して、第１の綴杆３１２の半割杆３１２ａの凸部３５２ａと半割杆３１２ｂの凸部３５４ａとを引き離す方向に作用するとともに、第２の綴杆３１４を構成する半割杆３１４ａの凸部３５６ａと半割杆３１４ｂの凸部３５８ａとを引き離すように作用する。
【０１２１】
このように、この実施の形態においては、第１の綴杆３１２および第２の綴杆３１４の頂部を指でねじることにより、第１の綴杆３１２の半割杆３１２ａおよび半割杆３１２ｂの係止部３５０と、第２の綴杆３１４の半割杆３１４ａおよび半割杆３１４ｂの係止部３５０を外すことができる。
すなわち、綴杆３２０を開くとき、第１の綴杆３１２と第２の綴杆３１４とは、同一方向に向けて、その係止部３５０を指で外すことができるように構成されている。
【０１２２】
また、第１の綴杆３１２の半割杆３１２ａと半割杆３１２ｂの係止部３５０および第２の綴杆３１４の半割杆３１４ａと半割杆３１４ｂの係止部３５０を係合させたとき、第１の作動片３３０の突き合わせ縁３３０ａと第２の作動片３３２の突き合わせ縁３３２ａとが、水平状態になり、第１の作動片３３０と第２の作動片３３２とが水平状態において、開閉部材３４０が第１の作動片３３０と第２の作動片３３２とを突き合わす方向に向けて収縮するように作用するため、第１の綴杆３１２の係止部３５０の係合状態および第２の綴杆３１４の係止部３５０の係合状態を維持することができる。
【０１２３】
次に、本発明にかかる別の実施の形態について、図３６ないし図４０に基づいて説明する。
この実施の形態の綴具４１０は、前記実施の形態の綴具３１０と略同様の構成であるが、主として、綴杆の数が増加したことに伴う、作動部材の構成および開閉部材の構成が異なるので、それらを中心に以下説明する。
【０１２４】
図３６ないし図４０に示した綴具４１０は、図１９図示綴具３１０とは異なり、綴杆４２０を構成する綴杆の数が４本の４穴タイプである。綴具４１０は、一対のそれぞれ略円環状の金属製の第１の綴杆４１２および第１の綴杆４１２と一対の第２の綴杆４１４と、前記第１の綴杆４１２および第２の綴杆４１４をそれぞれ間隔をおいて設けることができる長さを備えた保持部材４１６と、その表面に第１の綴杆４１２および第２の綴杆４１４が間隔をおいて第１の綴杆４１２および第２の綴杆４１４のそれぞれの基部が固定され、第１の綴杆４１２および第２の綴杆４１４が前記保持部材４１６に固定されるように保持部材４１６の内側に可動自在に固定された作動部材４１８とを備える。綴具４１０は、保持部材４１６の取付孔４９０により、表紙に取り付けられる。
【０１２５】
主綴杆たる第１の綴杆４１２と該第１の綴杆４１２の片側に配設された副綴杆たる第２の綴杆４１４と、更に外側に配設された副綴杆たる第４の綴杆４１５と、第１の綴杆４１２のもう一方の側に配設された副綴杆たる第３の綴杆４１３とからなる。
第１の綴杆４１２は、半割杆４１２ａおよび半割杆４１２ｂを備え、第２の綴杆４１４は、半割杆４１４ａおよび半割杆４１４ｂを備え、第３の綴杆４１３は、半割杆４１３ａおよび半割杆４１３ｂを備え、第４の綴杆４１５は、半割杆４１５ａおよび半割杆４１５ｂを備える。
【０１２６】
第１の綴杆４１２と第２の綴杆４１４と第３の綴杆４１３と第４の綴杆４１５との間は、等間隔に形成されている。
主綴杆たる第１の綴杆４１２は、４本の綴杆の内長手方向の中央に近い綴杆が選択され、その主綴杆たる第１の綴杆４１２の両側に配設された第２の綴杆４１４、第３の綴杆４１３及び第４の綴杆４１５との距離を比較的近くとして、第１の綴杆４１２の閉じる作動に第２の綴杆４１４、第３の綴杆４１３及び第４の綴杆４１５が追動し易いように構成されている。
【０１２７】
前記半割杆４１２ａ、半割杆４１３ａ、半割杆４１４ａ、半割杆４１５ａの基部が固定された第１の作動片４３０と、半割杆４１２ｂ、半割杆４１３ｂ、半割杆４１４ｂ、半割杆４１５ｂの基部が固定された第２の作動片４３２は、前記実施の形態の第１の作動片３３０および第２の作動片３３２と比して長く延びて形成され、第１の綴杆４１２と第２の綴杆４１４と第３の綴杆４１３と第４の綴杆４１５の間を、日本工業規格に規定された適宜な間隔をおいて立設するように構成されている。
【０１２８】
保持部材４１６の被綴じ物載置部４２２の両端には、その長手方向に略その一端から他端に亘って、作動部材４１８を摺動自在に保持する保持壁が設けられている。この実施の形態においては、保持部材４１６の長手方向において、第３の綴杆４１３および第４の綴杆４１５のそれぞれの外側近傍より内部に亘って略全体において垂下されるように、第１保持壁４２４ａおよび第２保持壁４２４ｂがそれぞれ適宜な間隔をおいて平行となるように、連設されている。さらに、第１保持壁４２４ａおよび第２保持壁４２４ｂの下端縁より内側に向けて、適宜な間隔をおいて、保持用凸部４２４ｃおよび保持用凸部４２４ｄが突設されており、保持用凸部４２４ｃが第１の作動片４３０の外側縁の近傍を、および保持用凸部４２４ｄが第２の作動片４３２の外側縁の近傍をそれぞれ保持し、保持部材４１６から第１の作動片４３０及び第２の作動片４３２が抜けないように形成されている。
【０１２９】
そして、この第１保持壁４２４ａおよび第２保持壁４２４ｂと被綴じ物載置部３２２によって囲繞された空間内に、後に詳しく説明する第１の作動片４３０及び第２の作動片４３２からなる作動部材等が収容される。
【０１３０】
保持部材４１６の被綴じ物載置部４２２には、第１の綴杆４１２と第２の綴杆４１４と第３の綴杆４１３と第４の綴杆４１５を、一定の間隔（日本工業規格等で決められている一定の長さ）をおいて遊貫するための第１の貫通孔と第２の貫通孔と第３の貫通孔と第４の貫通孔とがそれぞれ穿設されている。
【０１３１】
第１の作動片４３０の突き合わせ縁４３０ａには、第２の作動片４３２に向けて、ずれ防止用の突片４３０ｅがやや下向きに突設され、且つ第２の作動片４３２の突き合わせ縁４３２ａには、第１の作動片４３０に向けて、ずれ防止用の突片４３２ｅがやや下向きに突設され、突き合わされた第１の作動片４３０と第２の作動片４３２とが突き合わせ縁４３０ａ及び突き合わせ縁４３２ａを中心に回動するときにずれないように構成されている。
【０１３２】
また、第１の作動片４３０の突き合わせ縁４３０ａには、第２の作動片４３２に向けて摺動幅規制用の摺動凸部４３０ｆが形成され、且つ摺動凸部４３０ｆと適宜な間隔をおいて摺動凹部４３０ｇが形成されるとともに、第２の作動片４３２の突き合わせ縁４３２ａには、第１の作動片４３０の前記摺動凹部４３０ｇに対応する位置に第１の作動片４３０に向けて摺動凸部４３２ｆが形成され、且つ第１の作動片４３０の前記摺動凸部４３０ｆに対応する位置に摺動凹部４３２ｇが形成されている。第１の作動片４３０の摺動凸部４３０ｆは、第２の作動片４３２の摺動凹部４３２ｇの長手方向における長さ内にて、第２の作動片４３２の摺動凸部４３２ｆは第１の作動片４３０の摺動凹部４３０ｇの長手方向における長さ内で移動する。
【０１３３】
開閉部材４４０は、長手方向の中央近傍において作動部材間に設けられ、第１の綴杆４１２と第２の綴杆４１４との間において、第１の作動片４３０と第２の作動片４３２との間に架け渡されている。
【０１３４】
開閉部材４４０は、第１の作動片４３０と第２の作動片４３２とを、保持部材４１６の空間内で保持部材４１６の長手方向において、第１の作動片４３０と第２の作動片４３２とを逆方向に移動させるとともに、作動部材４１８を構成する第１の作動片４３０の突き合わせ縁４３０ａと第２の作動片４３２の突き合わせ縁４３２ａが保持部材４１６の被綴じ物載置部４２２の内面に近づいた方向、すなわち綴杆４２０を上にしたときにおいて山折り状態に保持されるように設けられている。
【０１３５】
前記開閉部材４４０は、細長いコイルバネからなるが、前記開閉部材４４０は、その一端が保持部材４１６の一方の第１保持壁４２４ａの内側の第１固定部４２５ｅに固定され、且つその他端は、第１の作動片４３０及び第２の作動片４３２の長手方向の中心Ｃを挟んで同距離Ｒ1分をあけて、保持部材４１６の前記第１保持壁４２４ａと対向し、それと平行な他方の第２保持壁４２４ｂの内側の第２固定部４２５ｆに固定される（第３７図参照）。
【０１３６】
そして、開閉部材４４０は、前記一方の第１保持壁４２４ａ側に固定された一方の略長方形状の第１の作動片４３０を跨いで、前記一方の第１の作動片４３０に突き合わされた他方の第２の作動片４３２に架け渡され、第１綴杆４１２及び第２綴杆４１４の係止部４５０が外されるときに、該第２の作動片４３２が移動する方向に、前記第１固定部４２５ｅと第１の作動片４３０及び第２の作動片４３２の突き合わせ縁４３０ａ及び４３２ａと直交する線（移動方向と直交する軸）よりわずかにずらされ、第２の作動片４３２の第４固定部４３２ｄで保持される。更に、前記第４固定部４３２ｄより一方の第１の作動片４３０に、他方の第２の作動片４３２と一方の第１の作動片４３０の突き合わせ縁４３０ａ及び４３２ａを跨いで架け渡され、第１綴杆４１２及び第２綴杆４１４の係止部４５０が外されるときに、該第１の作動片４３０が移動する方向に、前記第２固定部４２５ｆと第１の作動片４３０及び第２の作動片４３２の突き合わせ長手縁４３０ａ及び４３２ａと直交する縁（移動方向と直交する軸）よりわずかにずらされ、第１の作動片４３０の第３固定部４３０ｄで保持されている。
【０１３７】
開閉部材４４０は、全体的には、略Ｚ字状に形成されている。
【０１３８】
前記実施の形態の綴杆は、いずれも円環状のＯ型であるが、図４１ないし図４８に示すようにＤ字型であってもよい。
この綴具５１０の綴杆５２０は、略Ｄ字状であり、主綴杆たる第１の綴杆５１２と副綴杆たる第２の綴杆５１４とからなる開閉自在の２穴タイプである。
綴具５１０は、一対のそれぞれ略円環状の金属製の第１の綴杆５１２および第１の綴杆５１２と一対の第２の綴杆５１４と、前記第１の綴杆５１２および第２の綴杆５１４をそれぞれ間隔をおいて設けることができる長さを備えた保持部材５１６と、その表面に第１の綴杆５１２および第２の綴杆５１４が間隔をおいて第１の綴杆５１２および第２の綴杆５１４のそれぞれの基部が固定され、第１の綴杆５１２および第２の綴杆５１４が前記保持部材５１６に固定されるように保持部材５１６の内側に可動自在に固定された作動部材５１８とを備える。綴具５１０は、保持部材５１６の取付孔５９０により、表紙に取り付けられる。
【０１３９】
この綴具５１０の綴杆５２０は、第１の綴杆５１２と第２の綴杆５１４とからなるが、第１の綴杆５１２の半割杆５１２ａと半割杆５１２ｂ及び第２の綴杆５１４の半割杆５１４ａと半割杆５１４ｂとがそれぞれ線対称ではなく、その形状が異なる。
すなわち、第１の綴杆５１２の半割杆５１２ａ及び第２の綴杆５１４のは、略コ字型であり、もう一方の（第１の綴杆５１２の）半割杆５１２ｂ及び（第２の綴杆５１４の）半割杆５１４ａは半円弧状である。
【０１４０】
第１の綴杆５１２と第２の綴杆５１４とは、同一方向に向けて、その係止部５５０を指で外すことができるように構成されている。
そして、綴杆５２０を閉じるときは、主綴杆たる第１の綴杆５１２を、例えば親指と人差し指で直接挟んで閉じるように構成されており、第１の綴杆５１２を２本の指で挟んで閉じる方向に作動させると、副綴杆たる第２の綴杆５１４は追動するように構成されている。
綴杆５２０は、閉じるとき、主綴杆たる第１の綴杆５１２の半割杆５１２ａの先端と半割杆５１２ｂの先端とが突き当たる前に、副綴杆たる第２の綴杆５１４の半割杆５１４ａの先端と半割杆５１４ｂの先端とが突き当たり係止され始めるように構成されている。
【０１４１】
保持部材５１６の被綴じ物載置部５２２の両端には、その長手方向に略その一端から他端に亘って、作動部材５１８を摺動自在に保持する保持壁が設けられている。この実施の形態においては、保持部材５１６の長手方向において、第１の綴杆５１２および第２の綴杆５１４のそれぞれの外側近傍より内部に亘って略全体において垂下されるように、第１保持壁５２４ａおよび第２保持壁５２４ｂがそれぞれ適宜な間隔をおいて平行となるように、連設されている。さらに、第１保持壁５２４ａおよび第２保持壁５２４ｂの下端縁より内側に向けて、適宜な間隔をおいて、保持用凸部５２４ｃおよび保持用凸部５２４ｄが突設されており、保持用凸部５２４ｃが第１の作動片５３０の外側縁の近傍を、および保持用凸部５２４ｄが第２の作動片５３２の外側縁の近傍をそれぞれ保持し、保持部材５１６から第１の作動片５３０及び第２の作動片５３２が抜けないように形成されている。
【０１４２】
そして、この第１保持壁５２４ａおよび第２保持壁５２４ｂと被綴じ物載置部５２２によって囲繞された空間内に、後に詳しく説明する作動部材５１８等が収容される。
【０１４３】
保持部材５１６の被綴じ物載置部５２２には、第１の綴杆５１２と第２の綴杆５１４とを、一定の間隔（日本工業規格等で決められている一定の長さ）をおいて遊貫するための第１の貫通孔５２６と第２の貫通孔５２８がそれぞれ穿設されている。
【０１４４】
第１の作動片５３０の突き合わせ縁５３０ａには、第２の作動片５３２に向けて、ずれ防止用の突片５３０ｅがやや下向きに突設され、且つ第２の作動片５３２の突き合わせ縁５３２ａには、第１の作動片５３０に向けて、ずれ防止用の突片５３２ｅがやや下向きに突設され、突き合わされた第１の作動片５３０と第２の作動片５３２とが突き合わせ縁５３０ａ及び突き合わせ縁５３２ａを中心に回動するときにずれないように構成されている。
【０１４５】
また、第１の作動片５３０の突き合わせ縁５３０ａには、第２の作動片５３２に向けて摺動幅規制用の摺動凸部５３０ｆが形成され、且つ摺動凸部５３０ｆと適宜な間隔をおいて摺動凹部５３０ｇが形成されるとともに、第２の作動片５３２の突き合わせ縁５３２ａには、第１の作動片５３０の前記摺動凹部５３０ｇに対応する位置に第１の作動片５３０に向けて摺動凸部５３２ｆが形成され、且つ第１の作動片５３０の前記摺動凸部５３０ｆに対応する位置に摺動凹部５３２ｇが形成されている。第１の作動片５３０の摺動凸部５３０ｆは、第２の作動片５３２の摺動凹部５３２ｇの長手方向における長さ内にて、第２の作動片５３２の摺動凸部５３２ｆは第１の作動片５３０の摺動凹部５３０ｇの長手方向における長さ内で移動する。
【０１４６】
そして、開閉部材５４０は、前記一方の第１保持壁５２４ａ側に固定された一方の略長方形状の第１の作動片５３０を跨いで、前記一方の第１の作動片５３０に突き合わされた他方の第２の作動片５３２に架け渡され、第１綴杆５１２及び第２綴杆５１４の係止部５５０が外されるときに、該第２の作動片５３２が移動する方向に、前記第１固定部５２５ｅと第１の作動片５３０及び第２の作動片５３２の突き合わせ縁５３０ａ及び５３２ａと直交する線（移動方向と直交する軸）よりわずかにずらされ、第２の作動片５３２の第４固定部５３２ｄで保持される。更に、前記第４固定部５３２ｄより一方の第１の作動片５３０に、他方の第２の作動片５３２と一方の第１の作動片５３０の突き合わせ縁５３０ａ及び５３２ａを跨いで架け渡され、第１綴杆５１２及び第２綴杆５１４の係止部５５０が外されるときに、該第１の作動片５３０が移動する方向に、前記第２固定部５２５ｆと第１の作動片５３０及び第２の作動片５３２の突き合わせ長手縁５３０ａ及び５３２ａと直交する縁（移動方向と直交する軸）よりわずかにずらされ、第１の作動片５３０の第３固定部５３０ｄで保持されている。
【０１４７】
前記綴杆５２０は、第４１図〜第４８図に示すように、直接指で閉じられる主綴杆たる第１の綴杆５１２と、該第１の綴杆５１２の閉じる方向に向けての作動に追動する副綴杆たる第２の綴杆５１４とにより構成され、綴杆５２０が閉じられるとき、第２の綴杆５１４を構成する一対の半割杆５１４ａと半割杆５１４ｂの先端どうしが突き当たったとき、第１の綴杆５１２を構成する一対の半割杆５１２ａと半割杆５１２ｂの先端の間に間隙（０．５ｍｍ〜１ｍｍの間隔）が形成されるように、第１の綴杆５１２及び第２の綴杆５１４が形成されている。
この実施の形態においては、主として図４８に示すように、第１の作動片５３０及び第２の作動片５３２の表面（平面）との取付角度に差が設けられている。すなわち、第２の綴杆５１４の半割杆５１４ａ及び半割杆５１４ｂの基部の中心５１４ｏと先端部５１４ｘとを結ぶ線５１４Ｌと第２の作動片５３２及び第１の作動片５３０の表面（基部の中心５１４ｏ）に垂直に交わる線５３２Ｌ及び５３０Ｌとの間の角度θ1と第１の綴杆５１２の半割杆５１２ａ及び半割杆５１２ｂの基部の中心５１２ｏと先端部５１２ｘとを結ぶ線５１２Ｌと第２の作動片５３２及び第１の作動片５３０の表面（基部の中心５１２ｏ）に垂直に交わる線５３２Ｌ及び５３０Ｌとの間の角度θ2との間に差が設けられ、θ1の方がθ2より０．５７°〜１．１４°大きく、第１の綴杆５１２の先端部５１２ｘの方が第２の綴杆５１４の先端部５１４ｘより外側（接線方向）に開いている。
【０１４８】
θ1とθ2との差が０．５７°よりも小さいときは、綴杆５２０を閉じるときにその差が少なく、主綴杆たる第１の綴杆５１２と副綴杆たる第２の綴杆５１４とが係止され始めるときに、第１の綴杆５１２の半割杆５１２ａの先端と半割杆５１２ｂの先端との間隔が短くなって第２の綴杆５１４が第１の綴杆５１２に追動せず、第２の綴杆５１４が確実に係止される前に第１の綴杆５１２が係止されて第２の綴杆５１４が確実に係止されないおそれがある。
θ1とθ2との差が１．１４°よりも大きいときは、綴杆５２０を閉じるとき、第２の綴杆５１４が確実に係止された後にも第１の綴杆５１２の半割杆５１２ａの先端と半割杆５１２ｂの先端との間隔が相当あり、第１の綴杆５１２が確実に係止される妨げとなるおそれがある。
【０１４９】
この実施の形態においては、第１の綴杆５１２を構成する半割杆５１２ａ及び半割杆５１２ｂと第２の綴杆５１４を構成する半割杆５１４ａ及び半割杆５１４ｂとが同じ形状、すなわち曲率（曲率半径）が同じもので、第１の作動片５３０及び第２の作動片５３２への取付角度に差を設けたが、第１の綴杆５１２の曲率と第２の綴杆５１４の曲率との間に差が設けられ、第２の綴杆５１４の曲率は第１の綴杆５１２の曲率より大きいようにしてもよい。
また、前記実施の形態においては、第１の綴杆５１２を構成する半割杆５１２ａと半割杆５１２ｂとの間において取付角度（及び曲率）を同じ構成にしたが、半割杆５１２ａと半割杆５１２ｂとの間に差を設けてもよい。
【０１５０】
第１の綴杆５１２を構成する半割杆５１２ａの先端に形成された係止部５５０を構成する先端の凸部５５２ａとその凸部５５２ａに続く凹部５５２ｂと、半割杆５１２ｂの係止部５５０を構成する先端の凸部５５４ａとその先端の凸部５５４ａに続く凹部５５４ｂとは、第１の綴杆５１２を閉じたとき係合するように逆方向に向けて突き出しあるいは凹み形成されている。凸部５５２ａと凸部５５４ａとは、それぞれ先端から内側に向けて傾斜縁５５２ｃと傾斜縁５５４ｃを備えており、凸部５５２ａの傾斜縁５５２ｃと凸部５５４ａの傾斜縁５５４ｃとがすべりながら、第１の綴杆５１２を開閉することができるように形成されている。
【０１５１】
また、第２の綴杆５１４を構成する半割杆５１４ａの先端に形成された係止部５５０を構成する凸部５５６ａとその凸部５５６ａに続く凹部５５６ｂと、半割杆５１４ｂの係止部５５０を構成する先端の凸部５５８ａとその先端の凸部５５８ａに続く凹部５５８ｂとは、第２の綴杆５１４を閉じたとき係合するように逆方向に向けて突き出しあるいは凹み形成されている。凸部５５６ａと凸部５５８ａとは、それぞれ先端から内側に向けて傾斜縁５５６ｃと傾斜縁５５８ｃを備えており、凸部５５６ａの傾斜縁５５６ｃと凸部５５８ａの傾斜縁５５８ｃとがすべりながら、第２の綴杆５１４を開閉することができるように形成されている。
【０１５２】
また、半割杆５１２ａの係止部５５０を構成する凸部５５２ａと半割杆５１４ａの係止部５５０を構成する凸部５５６ａとは、同一方向に向けて突き出し設けられている。
また、半割杆５１２ｂの係止部５５０を構成する凹部５５４ｂと半割杆５１４ｂの係止部５５０を構成する凹部５５８ｂとは、同一方向に向けて凹み形成されている。
【０１５３】
第１の綴杆５１２を２本の指で挟んで綴杆５２０を閉じ始めるとき、第１の綴杆５１２の半割杆５１２ａの凸部５５２ａと第１の綴杆５１２の半割杆５１２ｂのと凹部５５４ｂとが当接する前に、第２の綴杆５１４の半割杆５１４ａの凸部５５６ａと第２の綴杆５１４の半割杆５１４ｂの凸部５５８ａとが当接し、更に第１の綴杆５１２を閉じるように作動させると、第２の綴杆５１４の半割杆５１４ａの凸部５５６ａの傾斜縁５５６ｃ上を第２の綴杆５１４の半割杆５１４ｂの凸部５５８ａの傾斜縁５５８ｃが摺動する。
更に、第１の綴杆５１２を閉じるように作動させると、第１の綴杆５１２の半割杆５１２ａの凸部５５２ａと第１の綴杆５１２の半割杆５１２ｂの凸部５５４ａとが当接する。更に、第１の綴杆５１２を閉じるように作動させると、第１の綴杆５１２の半割杆５１２ａの凸部５５２ａの傾斜縁５５２ｃ上を第１の綴杆５１２の半割杆５１２ｂの凸部５５４ａの傾斜縁５５４ｃが摺動し、一方第２の綴杆５１４の半割杆５１４ａの凸部５５６ａ（半割杆５１４ｂの凸部５５８ａ）が半割杆５１４ｂの凹部５５８ｂ（半割杆５１４ａの凹部５５６ｂ）に嵌まり込み始め、第１の綴杆５１２を更に閉じると第２の綴杆５１４の半割杆５１４ａの凸部５５６ａ（半割杆５１４ｂの凸部５５８ａ）が半割杆５１４ｂの凹部５５８ｂ（半割杆５１４ａの凹部５５６ｂ）に嵌まり込む。
第１の綴杆５１２は、更に閉じると、第２の綴杆５１４と同様に半割杆５１２ａの凸部５５２ａ（半割杆５１２ｂの凸部５５４ａ）が半割杆５１２ｂの凹部５５４ｂ（半割杆５１２ａの凹部５５２ｂ）に嵌まり込む。
【０１５４】
したがって、主綴杆たる第１の綴杆５１２を閉じ始めると、直接指で閉じられない副綴杆たる第２の綴杆５１４が先に係止され始め、更に第１の綴杆５１２が閉じて係止され始めると、第２の綴杆５１４の係止が進み第１の綴杆５１２より先に第２の綴杆５１４が完全に係止されるので、直接指で閉じられない副綴杆が確実に係止された後、直接指で第１の綴杆５１２が確実に係止される。
【０１５５】
凸部５５２ａの先端縁５５２ｄと凸部５５２ａの後端縁５５２ｅ（凹部５５２ｂの前壁面に同じ）と凹部５５２ｂの後壁面５５２ｆとは、第１の作動片５３０及び第２の作動片５３２の突き合わせ縁（保持部材５１６の長手方向の中心線）と平行に形成されている。
凸部５５４ａの先端縁５５４ｄと凸部５５４ａの後端縁５５４ｅ（凹部５５４ｂの前壁面に同じ）と凹部５５４ｂの後壁面５５４ｆとは、第１の作動片５３０及び第２の作動片５３２の突き合わせ縁（保持部材５１６の長手方向の中心線）と平行に形成されている。
凸部５５６ａの先端縁５５６ｄと凸部５５６ａの後端縁５５６ｅ（凹部５５６ｂの前壁面に同じ）と凹部５５６ｂの後壁面５５６ｆとは、第１の作動片５３０及び第２の作動片５３２の突き合わせ縁（保持部材５１６の長手方向の中心線）と平行に形成されている。
凸部５５８ａの先端縁５５８ｄと凸部５５８ａの後端縁５５８ｅ（凹部５５８ｂの前壁面に同じ）と凹部５５８ｂの後壁面５５８ｆとは、第１の作動片５３０及び第２の作動片５３２の突き合わせ縁（保持部材５１６の長手方向の中心線）と平行に形成されている。
したがって、第１の綴杆５１２の係止部５５０を、第１の綴杆５１２の頂部を指でねじることにより外すことができる。
【０１５６】
第１の綴杆５１２の係止部５５０を指で外すと、第１の作動片５３０と第２の作動片５３２とが、開閉部材５４０が元の状態に戻ろうとする力、すなわち縮まろうとする力が働くことにより、第１の作動片５３０と第２の作動片５３２とが逆方向に移動する。すなわち、第２の綴杆５１４を構成する半割杆５１４ａの凸部５５６ａと半割杆５１４ｂの凸部５５８ａとを引き離す方向に作用して、第１の綴杆５１２の半割杆５１２ａの凸部５５２ａと半割杆５１２ｂの凸部５５４ａとを引き離す方向に作用するとともに、第２の綴杆５１４を構成する半割杆５１４ａの凸部５５６ａと半割杆５１４ｂの凸部５５８ａとを引き離すように作用する。
【０１５７】
このように、この実施の形態においては、第１の綴杆５１２および第２の綴杆５１４の頂部を指でねじることにより、第１の綴杆５１２の半割杆５１２ａおよび半割杆５１２ｂの係止部５５０と、第２の綴杆５１４の半割杆５１４ａおよび半割杆５１４ｂの係止部５５０を外すことができる。
すなわち、綴杆５２０を開くとき、第１の綴杆５１２と第２の綴杆５１４とは、同一方向に向けて、その係止部５５０を指で外すことができるように構成されている。
【０１５８】
次に、本発明にかかる更に別の実施の形態について、図４９ないし図６６に基づいて説明する。
図４９は、閉じた状態における綴具の平面図であり、図５０は、閉じた状態における綴具の底面図であり、図５１は、閉じた状態における綴具の横断面図であり、図５２は、閉じた状態における綴具の側面図である。図５３は、開いた状態における綴具の横断面図である。図５４は、閉じた状態における綴杆と作動部材を示す平面図解図であり、図５５は、閉じかけた状態における綴杆の係止部近傍を示す平面図解図であり、図５６は、綴杆の綴じる作動状況を示す係止部近傍の平面図解図である。
【０１５９】
綴具６１０は、厚紙その他の比較的硬質なシート材からなる表紙Ａの略中央に形成される左右一対の折り線の内側の背表紙の内側表面に固定される。固定する方法としては、綴具６１０の長手方向の両端に形成された取付孔６９０（後に詳述する）にボルトとナットやはとめ等の固着具を挿通させて、背表紙と一体となるように固定する方法がある。
なお、ここでは、固着具として、ボルトとナットを用いて説明するが、これに限ることなく、例えば、ビス、はとめ、リベット等を用いてもよい。また、背表紙に対して、例えば、超音波溶着または高周波溶着することにより固着する方法を採用することもできる。
【０１６０】
綴具６１０は、一対のそれぞれ略円環状の金属製の第１の綴杆６１２および（第１の綴杆６１２とは一対の）第２の綴杆６１４と、前記第１の綴杆６１２および第２の綴杆６１４をそれぞれ間隔をおいて設けることができる長さを備えた保持部材６１６と、その表面に第１の綴杆６１２および第２の綴杆６１４が間隔をおいて第１の綴杆６１２および第２の綴杆６１４のそれぞれの基部が固定され、第１の綴杆６１２および第２の綴杆６１４が前記保持部材６１６に固定されるように保持部材６１６の内側に可動自在に固定された作動部材６１８とを備える。
【０１６１】
この綴具６１０の綴杆６２０は、主綴杆たる第１の綴杆６１２と副綴杆たる第２の綴杆６１４とからなる開閉自在の２穴タイプである。
第１の綴杆６１２と第２の綴杆６１４とは、同一方向に向けて、その係止部６５０を指で外すことができるように構成されている。
そして、綴杆６２０を閉じるときは、主綴杆たる第１の綴杆６１２を、例えば親指と人差し指で直接挟んで閉じるように構成されており、第１の綴杆６１２を２本の指で挟んで閉じる方向に作動させると、副綴杆たる第２の綴杆６１４は追動するように構成されている。
綴杆６２０は、閉じるとき、主綴杆たる第１の綴杆６１２の半割杆６１２ａの先端と半割杆６１２ｂの先端とが突き当たる前に、副綴杆たる第２の綴杆６１４の半割杆６１４ａの先端と半割杆６１４ｂの先端とが突き当たり係止され始めるように構成されている。
【０１６２】
保持部材６１６は、第１の綴杆６１２と第２の綴杆６１４とを所定の間隔をおいて設けることができる長さを備える平面略長方形で、その両端、すなわち表紙Ａに取り付ける取付孔６９０近傍においては、平面略半円弧状に形成されている。
保持部材６１６は、第１の綴杆６１２および第２の綴杆６１４を固定する部位より幅方向における外側近傍から内側に向かって、その中央が膨出した断面略半円弧状の被綴じ物載置部６２２を備え、且つ、被綴じ物載置部６２２の内側には空間を備え、その空間に作動部材６１８等を収容するように構成されている。
保持部材６１６の被綴じ物載置部６２２の両端には、その長手方向に略その一端から他端に亘って、作動部材６１８を可動自在に保持する保持壁が設けられている。この実施の形態においては、保持部材６１６の長手方向において、第１の綴杆６１２および第２の綴杆６１４のそれぞれの外側近傍より略全体において垂下されるように、保持壁６２４ａおよび保持壁６２４ｂが連設されている。さらに、保持壁６２４ａおよび保持壁６２４ｂの下端縁より内側に向けて、適宜な間隔をおいて、保持用凸部６２４ｃおよび保持用凸部６２４ｄが突設されており、第１の作動片６３０の外側縁６３０ｂおよび第２の作動片６３２の外側縁６３２ｂの近傍を保持するように形成されている。
更に、保持壁６２４ａの保持用凸部６２４ｃの上部及び保持壁６２４ｂの保持用凸部６２４ｄの上部には、保持用穴部６２４ｅ及び保持用穴部６２４ｆが穿設され、第１の作動片６３０の外側縁６３０ｂに突設された保持用凸部６３０ｃ及び第２の作動片６３２の外側縁６３２ｂに穿設された保持用凸部６３２ｃを該保持用穴部６２４ｅ及び保持用穴部６２４ｆに嵌挿するように形成されている。
したがって、この保持壁６２４ａおよび保持壁６２４ｂと被綴じ物載置部６２２によって囲繞された空間内の最適な位置に、後に詳しく説明する作動部材１８等が移動自在に収容される。
【０１６３】
保持部材６１６の被綴じ物載置部６２２には、第１の綴杆６１２と第２の綴杆６１４とを、一定の間隔（日本工業規格等で決められている一定の長さ）をおいて遊貫するための第１の貫通孔６２６と第２の貫通孔６２８がそれぞれ穿設されている。
第１の貫通孔６２６と第２の貫通孔６２８とは、第１の綴杆６１２と第２の綴杆６１４を構成する半割杆６１２ａおよび半割杆６１２ｂと、第２の綴杆１４を構成する半割杆６１４ａおよび半割杆６１４ｂとに対応して、保持部材６１６の幅方向において左右に分かれて一定の間隔をおいて、２つずつ穿設されている。
【０１６４】
作動部材６１８は、平面略長方形状金属製平板からなる一対の第１の作動片６３０および第２の作動片６３２からなる。
第１の作動片６３０と第２の作動片６３２とは、保持部材６１６の空間内において各々その長手方向において並置したとき、各々その内側縁を回動自在に連結して、すなわち、その突き合わせ縁６３０ａおよび突き合わせ縁６３２ａを突き合わせ、且つ外側縁６３０ｂおよび外側縁６３２ｂが保持部材６１６の保持壁６２４ａおよび保持壁６２４ｂの両壁内内側面に接合される。
【０１６５】
一方の作動片、すなわち第１の作動片６３０の突き合わせ縁６３０ａには、適宜な間隔をおいて、枢軸部を構成する（枢軸６３８の枢支部を構成する）３個の円筒状摺動部６３４ａ，６３４ｂ，６３４ｃが形成され、且つ、他方の作動片、すなわち第２の作動片６３２の突き合わせ縁６３２ａには、前記一方の作動片、すなわち第１の作動片６３０の円筒状摺動部６３４ａ，６３４ｂ，６３４ｃの間に遊嵌される枢軸部を構成する（枢軸６３８の枢支部を構成する）３個の円筒状摺動部６３６ａ，６３６ｂ，６３６ｃが形成されている。
そして、円筒状摺動部６３４ａ，６３４ｂ，６３４ｃおよび円筒状摺動部６３６ａ，６３６ｂ，６３６ｃは、断面円環状に形成され、円筒状摺動部６３４ａ，６３４ｂ，６３４ｃおよび円筒状摺動部６３６ａ，６３６ｂ，６３６ｃには貫通孔が貫設され、該貫通孔は保持部材６１６の長手方向の中心線上に位置して、該貫通孔内には、枢軸部６３８が挿通されている。
【０１６６】
そして、前記第１の作動片６３０の円筒状摺動部６３４ａ，６３４ｂ，６３４ｃと第２の作動片６３２の円筒状摺動部６３６ａ，６３６ｂ，６３６ｃ間には、空隙部６４２が形成され、第１の作動片６３０の円筒状摺動部６３４ａ，６３４ｂ，６３４ｃと第２の作動片６３２の円筒状摺動部６３６ａ，６３６ｂ，６３６ｃとは、枢軸部を構成する枢軸６３８に遊嵌されている。すなわち、枢軸６３８を中心に第１の作動片６３０と第２の作動片６３２が回動するとともに、枢軸６３８の軸心に沿って第１の作動片６３０と第２の作動片６３２とが移動することができるように構成されている。
【０１６７】
また、第１の作動片６３０と第２の作動片６３２の略中央には、開閉部材６４０が嵌挿される開閉部材用空隙部６４４が形成されている。
そして、第１の作動片６３０の円筒状摺動部６３４ａと第２の作動片６３２の円筒状摺動部６３６ａとの間には、開閉部材６４０を嵌挿させるための開閉部材用空隙部４４が形成されている。
前記開閉部材用空隙部６４４には、一方の作動片、すなわち第１の作動片６３０の円筒状摺動部６３４ａの内端が臨み、且つ前記円筒状摺動部６３４ａとの内端と対向して、他方の作動片、すなわち第２の作動片６３２の円筒状摺動部６３６ａの内端が臨むように形成されている。
【０１６８】
そして、第１の作動片６３０および第２の作動片６３２は、外側から力が加わらないときには、第１の作動片６３０と第２の作動片６３２とが平面の状態、すなわち保持部材６１６の被綴じ物載置部６２２の内面より離れた方向（突き合わせ縁６３０ａおよび突き合わせ縁６３２ａが、図５１及び図５４図示半割杆６１２ａ，半割杆６１２ｂ，半割杆６１４ａ及び半割杆６１４ｂのそれぞれの基部を通る平面ＰXYと略平行面）に向いて、あるいはまた、綴杆６２０を上にしたときにおいて山折り、すなわち保持部材６１６の被綴じ物載置部６２２の内面に近づいた方向（突き合わせ縁６３０ａおよび突き合わせ縁６３２ａが図５３及び図５４図示平面ＰXYより上側）に向いて、その平面の状態または綴杆６２０を上にしたときにおいて山折りの状態を維持するように、保持部材６１６の内側空間部に内設されている。
【０１６９】
作動部材６１８は、一方の作動片、すなわち第１の作動片６３０における保持部材６１６の被綴じ物載置部６２２の内側面と対向する表面（すなわち上面）には、第１の綴杆６１２を構成する半割杆６１２ａの基部が固定され、且つ、前記半割杆６１２ａとは一定の間隔をおいて、第２の綴杆６１４を構成する半割杆６１４ａの基部が固定されている。
また、他方の作動片、すなわち第２の作動片６３２における保持部材６１６の被綴じ物載置部６２２と対向する表面（すなわち上面）には、第１の綴杆６１２を構成する半割杆６１２ｂの基部が固定され、且つ、前記半割杆６１２ｂと一定の間隔をおいて、第２の綴杆６１４を構成する半割杆６１４ｂの基部が固定されている。
【０１７０】
そして、前記第１の綴杆６１２および第２の綴杆６１４が閉じるときには、図５１に示すように、作動部材６１８を構成する第１の作動片６３０と第２の作動片６３２とは、その突き合わせ縁６３０ａおよび突き合わせ縁６３２ａが保持部材６１６の内面（被綴じ物載置部６２２の内面）より離れた方向で水平面上に並置される方向に向いて（すなわち平面の状態）、第１の作動片６３０の突き合わせ縁６３０ａと第２の作動片６３２の突き合わせ縁６３２ａとが突き合わされた状態において保持されるとともに、前記第１の綴杆６１２および第２の綴杆６１４を開くときには、図５３に示すように、作動部材６１８を構成する第１の作動片６３０と第２の作動片６３２とは、保持部材６１６の内面（被綴じ物載置部６２２の内面）に近づいた方向に向いて（すなわち綴杆６２０を上にしたときにおいて山折り状態）、第２の作動片６３２の突き合わせ縁６３２ａとが突き合わされた状態に保持されるように保持部材６１６内の空間において固定される。
また、作動部材６１８を構成する第１の作動片６３０と第２の作動片６３２とは、保持部材６１６の被綴じ物載置部６２２の内面に近づいた方向、すなわち綴杆６２０を上にしたときにおいて山折りの状態においては、第１の作動片６３０と第２の作動片６３２の長手方向、すなわち第１の作動片６３０と第２の作動片６３２に固着された半割杆６１２ａと半割杆６１４ａとを結ぶ線（Ｘ1（図５０及び図５４図示））および半割杆６１２ｂと半割杆６１４ｂとを結ぶ線（Ｘ2（図５０及び図５４図示））と平行な方向に、第１の作動片６３０と第２の作動片６３２とを移動させることができるように摺動自在に内設されている。
第１の作動片６３０と第２の作動片６３２には、第１の綴杆６１２と第２の綴杆６１４とを開閉方向に変化させる開閉部材６４０が設けられている。
【０１７１】
開閉部材６４０は、コイルバネからなり、開閉部材６４０を構成するコイルバネは、全体的には捩りバネを構成し、中央の平面コ字型の連結係止部６６２と、前記連結係止部６６２の両端に形成された一対の略円筒状の圧縮バネ部６６４ａおよび略円筒状の圧縮バネ部６６４ｂと、前記圧縮バネ部６６４ａの連結係止部６６２とは反対側の端部より延びて形成されたバネ係止部６６６ａと、前記圧縮バネ部６６４ｂの連結係止部６６２とは反対側の端部より延びて形成されたバネ係止部６６６ｂとが、鋼線をコイル型に巻いて形成されている。
すなわち、開閉部材６４０は、略円筒状の圧縮バネ部６６４ａおよび略円筒状の圧縮バネ部６６４ｂの中央に形成された貫通孔内に枢軸６３８を貫挿することによって、前記作動部材６１８の枢軸６３８に巻装されている。そして、連結係止部６６２は、第１の作動片６３０の上面に係止され、他方のバネ係止部６６６ａおよびバネ係止部６６６ｂは、第２の作動片６３２の上面に係止されている。
そして、第１の綴杆６１２を閉じた状態においては、開閉部材６４０は、捩られた状態となり、開閉部材６４０は、第１の作動片６３０と第２の作動片６３２を第１の綴杆６１２を開く方向に付勢している。
【０１７２】
作動部材６１８の枢軸６３８に巻装された圧縮バネ部６６４ａの一端は、作動部材６１８の一方の作動片、すなわち第１の作動片６３０を外側に向けて押圧し、圧縮バネ部６６４ｂの他端は、作動部材６１８の他方の作動片、すなわち第２の作動片６３２を外側に向けて押圧するように、第１の作動片６３０の円筒状摺動部６３４と接し、且つ、第２の作動片６３２の円筒状摺動部６３６と接するように設けられている。
そして、圧縮バネ部６６４ａおよび圧縮バネ部６６４ｂは、開閉部材用空隙部６４４内において、第１の綴杆６１２が閉じられた状態においては、第１の作動片６３０と第２の作動片６３２とを枢軸６３８の長手方向に沿って外方に向けて移動するように円筒状摺動部６３４および円筒状摺動部６３６と接している。
而して、第１の綴杆６１２または第２の綴杆６１４を指で捩って開いたときには、一旦、連結係止部６６２が撓み、空隙部６４２を埋め、そして指の力をゆるめるか、指を離すと開閉部材６４０の連結係止部６６２と圧縮バネ部６６４ａおよび圧縮バネ部６６４ｂとは、圧縮状態を解放されて、若干伸展し、第１の作動片６３０と第２の作動片６３２とを逆方向に移動させるように付勢する。
【０１７３】
このように、開閉部材６４０は、この実施の形態においては、第１の作動片６３０と第２の作動片６３２とを、保持部材６１６の空間内で保持部材６１６の長手方向において、第１の作動片６３０と第２の作動片６３２とを逆方向に移動させるとともに、保持部材６１６を構成する第１の作動片６３０の突き合わせ縁６３０ａと第２の作動片６３２の突き合わせ縁６３２ａが保持部材６１６の被綴じ物載置部６２２の内面に近づいた方向、すなわち綴杆６２０を上にしたときにおいて山折り状態に保持されるように設けられている。
【０１７４】
そして、作動部材６１８を構成する第１の作動片６３０と第２の作動片６３２とは、第１の綴杆６１２と第２の綴杆６１４を開き始めたとき、すなわち、第１の綴杆６１２と第２の綴杆６１４のそれぞれの係止部６５０を指で外したとき、開閉部材６４０が元の状態に戻ろうとして、すなわち、圧縮されていた開閉部材６４０が復元方向に作用し、第１の綴杆６１２の半割杆６１２ａと半割杆６１２ｂとが離れる方向（半割杆６１２ａはＯ1方向で、半割杆６１２ｂはＯ2方向（図５４図示））および第２の綴杆６１４の半割杆６１４ａと半割杆６１４ｂとが離れる方向（半割杆６１４ａはＯ1方向で、半割杆６１４ｂはＯ2方向（図５４図示））に移動するように作用して、第１の作動片６３０と第２の作動片６３２とをそれぞれ逆方向に移動させるように作用する。
すなわち、第１の作動片６３０は、係止部６５０を外す方向（Ｏ1方向）に移動し、第２の作動片６３２は、係止部６５０を外す方向（Ｏ2方向）に移動する。
さらに、開閉部材６４０は、捩られていた状態から元の状態に復元しようとして、半割杆６１２ａと半割杆６１２ｂとをおよび半割杆６１４ａと半割杆６１４ｂとを円周方向（Ｙ1およびＹ2方向（図５４図示））に引き離すように作用する。
作動部材６１８を構成する第１の作動片６３０と第２の作動片６３２は、平面の状態から綴杆６２０を上にしたときにおいて山折り状態に変わる。
そして、開閉部材６４０は、第１の綴杆６１２と第２の綴杆６１４とを開いた状態にしたとき、第１の作動片６３０の突き合わせ縁６３０ａと第２の作動片６３２の突き合わせ縁６３２ａとが綴杆６２０を上にしたときにおいて山折り状態、すなわち、保持部材６１６の被綴じ物載置部６２２の内側面に近づいた状態に保持するように作用する。
【０１７５】
第１の綴杆６１２は、略円環状となるように、半円弧状の半割杆６１２ａと半割杆６１２ｂとから構成され、第２の綴杆６１４は、略円環状となるように、半円弧状の半割杆６１４ａと半割杆６１４ｂとから構成されている。そして、用紙Ｐに予め穿設された綴じ孔に挿通して、用紙Ｐを綴じることができるように、半割杆６１２ａおよび半割杆６１２ｂと、半割杆６１４ａと半割杆６１４ｂの先端、すなわち第１の綴杆６１２および第２の綴杆６１４の頂部において、係止部６５０が形成されている。
第１の綴杆６１２を構成する半割杆６１２ａと半割杆６１２ｂは、半割杆６１２ａの係止部６５０と、半割杆６１２ｂの係止部６５０とを係止することにより、環状に係合される。
また、第２の綴杆６１４を構成する半割杆６１４ａと半割杆６１４ｂとは、半割杆６１２ｂの係止部６５０と半割杆６１４ｂの係止部６５０とを係止することにより、環状に係合される。
【０１７６】
第１の綴杆６１２と第２の綴杆６１４とは、それぞれの基部が第１の作動片６３０と第２の作動片６３２に固着された部分（４箇所）を通る軸Ｙ1，Ｙ2および軸Ｘ1，Ｘ2（図５７及び図５４図示）を含む平面ＰXYと垂直な平面を構成するように、第１の作動片６３０と第２の作動片６３２より立設されている。そして、第１の綴杆６１２の軸Ｚ1（図５９図示）が構成する円形面と第２の綴杆６１４の軸Ｚ2（図５９図示）が構成する円形面とは、平行で、且つ、第１の綴杆６１２と第２の綴杆６１４が第１の作動片６３０と第２の作動片６３２と固着された部位を通る平面ＰXYと垂直となるように構成されている。
【０１７７】
前記綴杆６２０は、第５５図及び第５６図に示すように、直接指で閉じられる主綴杆たる第１の綴杆６１２と、該第１の綴杆６１２の閉じる方向に向けての作動に追動する副綴杆たる第２の綴杆６１４とにより構成され、綴杆６２０が閉じられるとき、第２の綴杆６１４を構成する一対の半割杆６１４ａと半割杆６１４ｂの先端どうしが突き当たったとき、第１の綴杆６１２を構成する一対の半割杆６１２ａと半割杆６１２ｂの先端の間に間隙（０．５ｍｍ〜１ｍｍの間隔）が形成されるように、第１の綴杆６１２及び第２の綴杆６１４が形成されている。
この実施の形態においては、主として図５７において示すように、第１の作動片６３０及び第２の作動片６３２の表面（平面）との取付角度に差が設けられている。すなわち、第２の綴杆６１４の半割杆６１４ａ及び半割杆６１４ｂの基部の中心６１４ｏと先端部６１４ｘとを結ぶ線６１４Ｌと第２の作動片６３２及び第１の作動片６３０の表面（基部の中心６１４ｏ）に垂直に交わる線６３２Ｌ及び６３０Ｌとの間の角度θ1と第１の綴杆６１２の半割杆６１２ａ及び半割杆６１２ｂの基部の中心６１２ｏと先端部６１２ｘとを結ぶ線６１２Ｌと第２の作動片６３２及び第１の作動片６３０の表面（基部の中心６１２ｏ）に垂直に交わる線６３２Ｌ及び６３０Ｌとの間の角度θ2との間に差が設けられ、θ1の方がθ2より０．５７°〜１．１４°大きく、第１の綴杆６１２の先端部６１２ｘの方が第２の綴杆６１４の先端部６１４ｘより外側（接線方向）に開いている。
【０１７８】
θ1とθ2との差が０．５７°よりも小さいときは、綴杆６２０を閉じるときにその差が少なく、主綴杆たる第１の綴杆６１２と副綴杆たる第２の綴杆６１４とが係止され始めるときに、第１の綴杆６１２の半割杆６１２ａの先端と半割杆６１２ｂの先端との間隔が短くなって第２の綴杆６１４が第１の綴杆６１２に追動せず、第２の綴杆６１４が確実に係止される前に第１の綴杆６１２が係止されて第２の綴杆６１４が確実に係止されないおそれがある。
θ1とθ2との差が１．１４°よりも大きいときは、綴杆６２０を閉じるとき、第２の綴杆６１４が確実に係止された後にも第１の綴杆６１２の半割杆６１２ａの先端と半割杆６１２ｂの先端との間隔が相当あり、第１の綴杆６１２が確実に係止される妨げとなるおそれがある。
【０１７９】
この実施の形態においては、第１の綴杆６１２を構成する半割杆６１２ａ及び半割杆６１２ｂと第２の綴杆６１４を構成する半割杆６１４ａ及び半割杆６１４ｂとが同じ形状、すなわち曲率（曲率半径）が同じもので、第１の作動片６３０及び第２の作動片６３２への取付角度に差を設けたが、第１の綴杆６１２の曲率と第２の綴杆６１４の曲率との間に差が設けられ、第２の綴杆６１４の曲率は第１の綴杆６１２の曲率より大きいようにしてもよい。
また、前記実施の形態においては、第１の綴杆６１２を構成する半割杆６１２ａと半割杆６１２ｂとの間において取付角度（及び曲率）を同じ構成にしたが、半割杆６１２ａと半割杆６１２ｂとの間に差を設けてもよい。
【０１８０】
第１の綴杆６１２を構成する半割杆６１２ａの先端に形成された係止部６５０を構成する先端の凸部６５２ａとその凸部６５２ａに続く凹部６５２ｂと、半割杆６１２ｂの係止部６５０を構成する先端の凸部６５４ａとその先端の凸部６５４ａに続く凹部６５４ｂとは、第１の綴杆６１２を閉じたとき係合するように逆方向に向けて突き出しあるいは凹み形成されている。凸部６５２ａと凸部６５４ａとは、それぞれ先端から内側に向けて傾斜縁６５２ｃと傾斜縁６５４ｃを備えており、凸部６５２ａの傾斜縁６５２ｃと凸部６５４ａの傾斜縁６５４ｃとがすべりながら、第１の綴杆６１２を開閉することができるように形成されている。
【０１８１】
また、第２の綴杆６１４を構成する半割杆６１４ａの先端に形成された係止部６５０を構成する凸部６５６ａとその凸部６５６ａに続く凹部６５６ｂと、半割杆６１４ｂの係止部６５０を構成する先端の凸部６５８ａとその先端の凸部６５８ａに続く凹部６５８ｂとは、第２の綴杆６１４を閉じたとき係合するように逆方向に向けて突き出しあるいは凹み形成されている。凸部６５６ａと凸部６５８ａとは、それぞれ先端から内側に向けて傾斜縁６５６ｃと傾斜縁６５８ｃを備えており、凸部６５６ａの傾斜縁６５６ｃと凸部６５８ａの傾斜縁６５８ｃとがすべりながら、第２の綴杆６１４を開閉することができるように形成されている。
【０１８２】
また、半割杆６１２ａの係止部６５０を構成する凸部６５２ａと半割杆６１４ａの係止部６５０を構成する凸部６５６ａとは、同一方向に向けて突き出し設けられている。
また、半割杆６１２ｂの係止部６５０を構成する凹部６５４ｂと半割杆６１４ｂの係止部６５０を構成する凹部６５８ｂとは、同一方向に向けて凹み形成されている。
【０１８３】
第１の綴杆６１２を２本の指で挟んで綴杆６２０を閉じ始めるとき、第１の綴杆６１２の半割杆６１２ａの凸部６５２ａと第１の綴杆６１２の半割杆６１２ｂのと凹部６５４ｂとが当接する前に、第２の綴杆６１４の半割杆６１４ａの凸部６５６ａと第２の綴杆６１４の半割杆６１４ｂの凸部６５８ａとが当接し、更に第１の綴杆６１２を閉じるように作動させると、第２の綴杆６１４の半割杆６１４ａの凸部６５６ａの傾斜縁６５６ｃ上を第２の綴杆６１４の半割杆６１４ｂの凸部６５８ａの傾斜縁６５８ｃが摺動する。
更に、第１の綴杆６１２を閉じるように作動させると、第１の綴杆６１２の半割杆６１２ａの凸部６５２ａと第１の綴杆６１２の半割杆６１２ｂの凸部６５４ａとが当接する。更に、第１の綴杆６１２を閉じるように作動させると、第１の綴杆６１２の半割杆６１２ａの凸部６５２ａの傾斜縁６５２ｃ上を第１の綴杆６１２の半割杆６１２ｂの凸部６５４ａの傾斜縁６５４ｃが摺動し、一方第２の綴杆６１４の半割杆６１４ａの凸部６５６ａ（半割杆６１４ｂの凸部６５８ａ）が半割杆６１４ｂの凹部６５８ｂ（半割杆６１４ａの凹部６５６ｂ）に嵌まり込み始め、第１の綴杆６１２を更に閉じると第２の綴杆６１４の半割杆６１４ａの凸部６５６ａ（半割杆６１４ｂの凸部６５８ａ）が半割杆６１４ｂの凹部６５８ｂ（半割杆６１４ａの凹部６５６ｂ）に嵌まり込む。
第１の綴杆６１２は、更に閉じると、第２の綴杆６１４と同様に半割杆６１２ａの凸部６５２ａ（半割杆６１２ｂの凸部６５４ａ）が半割杆６１２ｂの凹部６５４ｂ（半割杆６１２ａの凹部６５２ｂ）に嵌まり込む。
【０１８４】
したがって、主綴杆たる第１の綴杆６１２を閉じ始めると、直接指で閉じられない副綴杆たる第２の綴杆６１４が先に係止され始め、更に第１の綴杆６１２が閉じて係止され始めると、第２の綴杆６１４の係止が進み第１の綴杆６１２より先に第２の綴杆６１４が完全に係止されるので、直接指で閉じられない副綴杆が確実に係止された後、直接指で第１の綴杆６１２が確実に係止される。
【０１８５】
凸部６５２ａの先端縁６５２ｄと凸部６５２ａの後端縁６５２ｅ（凹部６５２ｂの前壁面に同じ）と凹部６５２ｂの後壁面６５２ｆとは、第１の作動片６３０及び第２の作動片６３２の突き合わせ縁（保持部材６１６の長手方向の中心線）と平行に形成されている。
凸部６５４ａの先端縁６５４ｄと凸部６５４ａの後端縁６５４ｅ（凹部６５４ｂの前壁面に同じ）と凹部６５４ｂの後壁面６５４ｆとは、第１の作動片６３０及び第２の作動片６３２の突き合わせ縁（保持部材６１６の長手方向の中心線）と平行に形成されている。
凸部６５６ａの先端縁６５６ｄと凸部６５６ａの後端縁６５６ｅ（凹部６５６ｂの前壁面に同じ）と凹部６５６ｂの後壁面６５６ｆとは、第１の作動片６３０及び第２の作動片６３２の突き合わせ縁（保持部材６１６の長手方向の中心線）と平行に形成されている。
凸部６５８ａの先端縁６５８ｄと凸部６５８ａの後端縁６５８ｅ（凹部６５８ｂの前壁面に同じ）と凹部６５８ｂの後壁面６５８ｆとは、第１の作動片６３０及び第２の作動片６３２の突き合わせ縁（保持部材６１６の長手方向の中心線）と平行に形成されている。
したがって、第１の綴杆６１２の係止部６５０を、第１の綴杆６１２の頂部を指でねじることにより外すことができる。
【０１８６】
第１の綴杆６１２の係止部６５０を指で外すと、第１の作動片６３０と第２の作動片６３２とが、開閉部材６４０が元の状態に戻ろうとする力、すなわち伸展しようとする力が働くことにより、第１の作動片６３０と第２の作動片６３２とが逆方向に移動する。そして、捩られていた開閉部材６４０の復元力により、第２の綴杆６１４を構成する半割杆６１４ａの凸部６５６ａと半割杆６１４ｂの凸部６５８ａとを引き離す方向に作用して、第１の綴杆６１２の半割杆６１２ａの凸部６５２ａと半割杆６１２ｂの凸部６５４ａとを引き離す方向に作用するとともに、第２の綴杆６１４を構成する半割杆６１４ａの凸部６５６ａと半割杆６１４ｂの凸部６５８ａとを引き離すように作用する。
【０１８７】
このように、この実施の形態においては、第１の綴杆６１２および第２の綴杆６１４の頂部を指でねじることにより、第１の綴杆６１２の半割杆６１２ａおよび半割杆６１２ｂの係止部６５０と、第２の綴杆６１４の半割杆６１４ａおよび半割杆６１４ｂの係止部６５０を外すことができる。
すなわち、綴杆６２０を開くとき、第１の綴杆６１２と第２の綴杆６１４とは、同一方向に向けて、その係止部６５０を指で外すことができるように構成されている。
【０１８８】
綴具６１０を表紙Ａに取り付けるには、保持壁６２４ａおよび保持壁６２４ｂの下端縁を接合して取付孔６９０，６９０にボルトナットにより取り付ければよい。さらに、適宜空間を設けるためのスペーサを介在させて取り付けてもよい。
また、前記実施の形態においては、第１の綴杆６１２と第２の綴杆６１４といったように、２穴タイプの綴具について説明したが、綴杆を増やした多穴タイプ、例えば、３穴、４穴、２０穴、２６穴、３０穴といった多くの綴杆を備えた綴具とすることができる。
【０１８９】
次に、本発明にかかる別の実施の形態について、図６７ないし図７２に基づいて説明する。
この実施の形態の綴具７１０は、前記実施の形態の綴具６１０と略同様の構成であるが、主として、綴杆の数が増加したことに伴う、作動部材の構成および開閉部材の構成が異なるので、それらを中心に以下説明する。
【０１９０】
綴杆７２０は、４穴タイプのために、第１の綴杆７１２、第２の綴杆７１３、第３の綴杆７１４および第４の綴杆７１５の４個の綴杆からなる。第１の綴杆７１２は、半割杆７１２ａおよび半割杆７１２ｂを備え、第２の綴杆７１４は、半割杆７１４ａおよび半割杆７１４ｂを備え、第３の綴杆７１３は、半割杆７１３ａおよび半割杆７１３ｂを備え、第４の綴杆７１５は、半割杆７１５ａおよび半割杆７１５ｂを備える。
【０１９１】
前記半割杆７１２ａ、半割杆７１３ａ、半割杆７１４ａ、半割杆７１５ａの基部が固定された第１の作動片７３０と、半割杆７１２ｂ、半割杆７１３ｂ、半割杆７１４ｂ、半割杆７１５ｂの基部が固定された第２の作動片７３２は、前記実施の形態の第１の作動片６３０および第２の作動片６３２と比して長く延びて形成され、第１の綴杆７１２と第２の綴杆７１４と第３の綴杆７１３と第４の綴杆７１５の間を、日本工業規格に規定された適宜な間隔をおいて立設するように構成されている。
【０１９２】
第１の作動片７３０と第２の作動片７３２とは、その突き合わせ縁７３０ａおよび突き合わせ縁７３２ａとを突き合わせ、第１の作動片７３０の円筒状摺動部７３４ａ，７３４ｂ，７３４ｃ，７３４ｄ，７３４ｅ，７３４ｆ内に第２の作動片７３２の円筒状摺動部７３６ａ，７３６ｂ，７３６ｃ，７３６ｄ，７３６ｅ，７３６ｆが嵌装され、直線状に並列された第１の作動片７３０の円筒状摺動部７３４ａ，７３４ｂ，７３４ｃ，７３４ｄ，７３４ｅ，７３４ｆと第２の作動片７３２の円筒状摺動部７３６ａ，７３６ｂ，７３６ｃ，７３６ｄ，７３６ｅ，７３６ｆの貫通孔内に枢軸７３８が嵌挿され、該枢軸７３８を中心として回動自在となるように構成されている。
そして、第１の作動片７３０の円筒状摺動部７３４ｂ，７３６ｃと第２の作動片７３２の円筒状摺動部７３６ｂ，７３６ｃの間には、空隙部７４２が形成されるように構成されている。
【０１９３】
この綴具７１０を構成する第１の作動片７３０の突き合わせ縁７３０ａの略中央付近には、開閉部材用空隙部７４４が形成され、第２の作動片７３２の突き合わせ縁７３２ａの略中央付近には、開閉部材用空隙部７４４が形成されている。
そして、第１の作動片７３０の突き合わせ縁７３０ａに形成された円筒状摺動部７３４ａは、前記開閉部材用空隙部７４４に臨み、且つ第２の作動片７３２の突き合わせ縁７３２ａに形成された円筒状摺動部７３６ａは、前記第１の作動片７３０に対向して前記開閉部材用空隙部７４４に臨むように形成されている。
【０１９４】
そして、開閉部材７４０は、前記実施の形態の開閉部材６４０を構成するコイルバネとはその構成が若干相違し、全体が略円筒状のコイル状である。
開閉部材７４０は、略円筒状コイル部７６２の両端には、それぞれ反対方向を向いて連設された係止部７６４と係止部７６６とを備え、略円筒状コイル部７６２内の貫通孔に枢軸７３８を嵌挿することにより、開閉部材用空隙部７４４内に巻装されるとともに、一方の係止部７６４は、第１の作動片７３０の裏面に係止されるとともに、綴杆が閉じられた状態においては、捩られた状態において、もう一方の係止部７６６が第２の作動片７３２の上面に係止されている。
そして、略円筒状コイル部７６２の一端は、圧縮された状態において、（すなわち伸びようとする弾発力が働くように、）第１の作動片７３０の円筒状摺動部７３４ａの開閉部材用空隙部７４４側端縁に当接されるとともに、第２の作動片７３２の円筒状摺動部７３６ａの開閉部材用空隙部７４４側端縁に接合された状態において、開閉部材用空隙部７４４内に嵌挿されている。
【０１９５】
このように、この実施の形態においては、第１の綴杆７１２、第２の綴杆７１４、第３の綴杆７１３および第４の綴杆７１５のうち２つの綴杆の頂部を、例えば両手の指でねじることにより、第１の綴杆７１２，第２の綴杆７１４，第３の綴杆７１３および第４の綴杆７１５の係止部７５０を外すことができる。
【図面の簡単な説明】
【０１９６】
【図１】本発明にかかる一実施の形態である綴具の一例を示す斜視図である。
【図２】閉じた状態における綴具の平面図である。
【図３】閉じた状態における綴具の底面図である。
【図４】閉じた状態における綴具の横断面図であり、（Ａ）図は、図３Ａ−Ａ断面図であり、（Ｂ）図は、図３Ｂ−Ｂ断面図である。
【図５】開いた状態における綴具の平面図である。
【図６】開いた状態における綴具の底面図である。
【図７】開いた状態における綴具の横断面図であり、（Ａ）図は、図６Ａ−Ａ断面図であり、（Ｂ）図は、図６Ｂ−Ｂ断面図である。
【図８】閉じかけた状態における綴杆の係止部近傍を示す平面図解図である。
【図９】閉じかけた状態における第１の綴杆の正面図である。
【図１０】閉じかけた状態における第２の綴杆の正面図である。
【図１１】綴杆の閉じる作動状況を示す係止部近傍を示す平面図解図である。
【図１２】綴具の構成を示す図解図である。
【図１３】綴具の構成を示す図解図である。
【図１４】綴具を表紙に取り付けた状態を示す横断面図である。
【図１５】本発明にかかる別の実施の形態である綴具の閉じた状態における底面図である。
【図１６】本発明にかかる別の実施の形態である綴具の閉じた状態における平面図である。
【図１７】本発明にかかる更に別の実施の形態である綴具の閉じた状態における底面図である。
【図１８】本発明にかかる更に別の実施の形態である綴具の閉じた状態における平面図である。
【図１９】本発明にかかる更に別の実施の形態の綴具の閉じた状態における底面図である。
【図２０】閉じた状態から開いた状態に移るときにおける綴具の底面図である。
【図２１】開いた状態における綴具の底面図である。
【図２２】閉じた状態における綴具の第１９図図示Ａ−Ａ断面図である。
【図２３】開いた状態における綴具の第２１図図示Ａ−Ａ断面図である。
【図２４】閉じた状態における第１９図図示Ｂ−Ｂ断面図である。
【図２５】開いた状態における綴具の第２１図図示Ｂ−Ｂ断面図である。
【図２６】閉じた状態における綴具の平面図である。
【図２７】開いた状態における綴具の平面図であり、（Ａ）図は全体の平面図であり、（Ｂ）図は綴杆の一部の平面図である。
【図２８】作動片の底面図である。
【図２９】第２８図図示Ａ−Ａ断面図である。
【図３０】綴具の構成を示す図解図である。
【図３１】綴具の構成を示す図解図である。
【図３２】閉じかけた状態における綴杆の係止部近傍を示す平面図解図である。
【図３３】閉じかけた状態における第１の綴杆の正面図である。
【図３４】閉じかけた状態における第２の綴杆の正面図である。
【図３５】綴杆の閉じる作動状況を示す係止部近傍を示す平面図解図である。
【図３６】本発明にかかる別の実施の形態である綴具の閉じた状態における平面図解図である。
【図３７】本発明にかかる別の実施の形態である綴具の閉じた状態における底面図解図である。
【図３８】本発明にかかる別の実施の形態である綴具の閉じた状態における側面図解図である。
【図３９】作動部材の構成を示す図解図であり、（Ａ）は第２の作動片の平面図解図であり、（Ｂ）は第１の作動片の平面図解図である。
【図４０】作動部材の構成を示す図解図であり、（Ａ）は第１の作動片の底面図解図であり、（Ｂ）は第２の作動片の底面図解図である。
【図４１】本発明にかかる更に別の実施の形態の綴具の閉じた状態における底面図である。
【図４２】閉じた状態における綴具の平面図である。
【図４３】開いた状態における綴具の底面図である。
【図４４】閉じた状態における正面図解図である。
【図４５】開いた状態における正面図解図である。
【図４６】閉じかけた状態における綴杆の係止部近傍を示す平面図解図である。
【図４７】綴杆の閉じる作動状況を示す係止部近傍を示す平面図解図である。
【図４８】閉じかけた状態における綴杆の正面図解図であり、（Ａ）は、第１の綴杆の正面図解図であり、（Ｂ）は、第２の綴杆の正面図解図である。
【図４９】閉じた状態における綴具の平面図である。
【図５０】閉じた状態における綴具の底面図である。
【図５１】閉じた状態における綴具の横断面図である。
【図５２】閉じた状態における綴具の側面図である。
【図５３】開いた状態における綴具の横断面図である。
【図５４】閉じかけた状態における綴杆と作動部材を示す平面図解図である。
【図５５】閉じた状態における綴杆の係止部近傍を示す平面図解図である。
【図５６】綴杆の閉じる作動状況を示す係止部近傍を示す平面図解図である。
【図５７】閉じかけた状態における綴杆の正面図解図であり、（Ａ）は、第１の綴杆の正面図解図であり、（Ｂ）は、第２の綴杆の正面図解図である。
【図５８】開閉部材を示す図で、（Ａ）は、開閉部材の正面図解図であり、（Ｂ）は、開閉部材の側面図解図である。
【図５９】第２の作動片の右側面図解図である。
【図６０】第２の作動片の平面図解図である。
【図６１】第２の作動片の正面図解図である。
【図６２】第２の作動片の左側面図解図である。
【図６３】第２の作動片の底面図解図である。
【図６４】第１の作動片の平面図解図である。
【図６５】第１の作動片の正面図解図である。
【図６６】第１の作動片と第２の作動片とを嵌合させる方法を示す図解図である。
【図６７】本発明にかかる別の実施の形態である綴具の閉じた状態における平面図解図である。
【図６８】本発明にかかる別の実施の形態である綴具の閉じた状態における底面図解図である。
【図６９】本発明にかかる別の実施の形態である綴具の閉じた状態における側面図解図である。
【図７０】作動部材の構成を示す図解図であり、（Ａ）は第２の作動片の平面図解図であり、（Ｂ）は第１の作動片の平面図解図である。
【図７１】作動部材の構成を示す図解図であり、（Ａ）は第１の作動片の底面図解図であり、（Ｂ）は第２の作動片の底面図解図である。
【図７２】開閉部材を示す図であり、（Ａ）はその平面図解図、（Ｂ）はその側面図解図である。
【符号の説明】
【０１９７】
Ａ  表紙
Ｐ  用紙
１０，１１０，２１０，３１０，４１０，５１０，６１０，７１０  綴具
１２，１１２，２１２，３１２，４１２，５１２，６１２，７１２  第１の綴杆
１２ａ，１１２ａ，２１２ａ，３１２ａ，４１２ａ，４１３ａ，４１５ａ，５１２ａ，６１２ａ，７１２ａ  半割杆
１２ｂ，１１２ｂ，２１２ｂ，３１２ｂ，４１２ｂ，４１３ｂ，４１５ｂ，５１２ｂ，６１２ｂ，７１２ｂ  半割杆
１２ｏ，３１２ｏ，５１２ｏ，６１２ｏ，１４ｏ，３１４ｏ，５１４ｏ，６１４ｏ  基部の中心
１２ｘ，３１２ｘ，５１２ｘ，６１２ｘ，１４ｘ，３１４ｘ，５１４ｘ，６１４ｘ  先端部
１２Ｌ，５１２Ｌ，６１２Ｌ，３１２Ｌ  線
４１３，７１３  第３の綴杆
７１３ａ，７１３ｂ  半割杆
１４，１１４，２１４，３１４，４１４，５１４，６１４，７１４  第２の綴杆
１４ａ，１１４ａ，２１４ａ，３１４ａ，４１４ａ，５１４ａ，６１４ａ，７１４ａ  半割杆
１４ｂ，１１４ｂ，２１４ｂ，３１４ｂ，４１４ｂ，５１４ｂ，６１４ｂ，７１４ｂ  半割杆
１４Ｌ，３１４Ｌ，５１４Ｌ，６１４Ｌ  線
４１５，７１５  第４の綴杆
７１５ａ，７１５ｂ  半割杆
１６，１１６，２１６，３１６，４１６，５１６，６１６  保持部材
１８，１１８，２１８，３１８，４１８，５１８，６１８  作動部材
２０，３２０，４２０，５２０，６２０，７２０  綴杆
２２，１２２，２２２，３２２，４２２，５２２，６２２  被綴じ物載置部
２４ａ，２４ｂ，２２４ａ，２２４ｂ，３２４ａ，３２４ｂ，４２４ａ，４２４ｂ，５２４ａ，５２４ｂ，６２４ａ，６２４ｂ  保持壁
２４ｃ，２４ｄ，３２４ｃ，３２４ｄ，４２４ｃ，４２４ｄ，５２４ｃ，５２４ｄ，６２４ｃ，６２４ｄ，６３２ｃ  保持用凸部
６２４ｅ，６２４ｆ  保持用穴部
３２５ｅ，４２５ｅ，５２５ｅ  第１固定部
３２５ｆ，４２５ｆ，５２５ｆ  第２固定部
２６，３２６，５２６，６２６  第１の貫通孔
２８，３２８，５２８，６２８  第２の貫通孔
３０，１３０，２３０，３３０，４３０，５３０，６３０，７３０  第１の作動片
３０ａ，１３０ａ，２３０ａ，３３０ａ，４３０ａ，５３０ａ，６３０ａ，７３０ａ  突き合わせ縁
３０ｂ，３３０ｂ，４３０ｂ，５３０ｂ，６３０ｂ  外側縁
３０ｃ，２３０ｃ，２３０ｄ，６３０ｃ  係止凸部
１３０ｃ  切り欠き部
１３０ｄ  第１固定部
３３０ｄ，４３０ｄ，５３０ｄ  第３固定部
３０ｅ，３３０ｅ，４３０ｅ，５３０ｅ  突き合わせ縁防止用の突片
５３０Ｌ，６３０Ｌ  線
３２，１３２，２３２，３３２，４３２，５３２，６３２，７３２  第２の作動片
３２ａ，１３２ａ，２３２ａ，３３２ａ，４３２ａ，５３２ａ，６３２ａ，７３２ａ  突き合わせ縁
３２ｂ，３３２ｂ，４３２ｂ，５３２ｂ，６３２ｂ  外側縁
３２ｃ，２３２ｃ，２３２ｄ  係止凸部
１３２ｃ  切り欠き部
１３２ｄ  第２固定部
３２ｅ，３３２ｅ，４３２ｅ，５３２ｅ  ずれ防止用の突片
３３０ｆ，３３２ｆ，４３０ｆ，４３２ｆ，５３０ｆ，５３２ｆ  摺動凸部
３３０ｇ，３３２ｇ，４３０ｇ，４３２ｇ，５３０ｇ，５３２ｇ  摺動凹部
３３２ｄ，４３２ｄ，５３２ｄ  第４固定部
３２Ｌ，３３２Ｌ，５３２Ｌ，６３２Ｌ  線
６３４ａ，６３４ｂ，６３４ｃ，７３４ａ，７３４ｂ，７３４ｃ，７３４ｄ，７３４ｅ，７３４ｆ  円筒状摺動部
６３６ａ，６３６ｂ，６３６ｃ，７３６ａ，７３６ｂ，７３６ｃ，７３６ｄ，７３６ｅ，７３６ｆ  円筒状摺動部
６３８，７３８  枢軸
４０，１４０，２４０，３４０，４４０，５４０，６４０，７４０  開閉部材
１４０ａ  開閉部材の一方の先端
１４０ｂ  開閉部材の他方の先端
２４２  第１の開閉部材
６４２，７４２  空隙部
２４４  第２の開閉部材
６４４，７４４  開閉部材用空隙部
５０，１５０，２５０，３５０，４５０，５５０，６５０，７５０  係止部
５２ａ，３５２ａ，５５２ａ，６５２ａ  凸部
５２ｂ，３５２ｂ，５５２ｂ，６５２ｂ  凹部
５４ａ，３５４ａ，５５４ａ，６５４ａ  凸部
５４ｂ，３５４ｂ，５５４ｂ，６５４ｂ  凹部
５６ａ，３５６ａ，５５６ａ，６５６ａ  凸部
５６ｂ，３５６ｂ，５５６ｂ，６５６ｂ  凹部
５８ａ，３５８ａ，５５８ａ，６５８ａ  凸部
５８ｂ，３５８ｂ，５５８ｂ，６５８ｂ  凹部
５２ｃ，５４ｃ，５６ｃ，５８ｃ，３５２ｃ，３５４ｃ，３５６ｃ，３５８ｃ，５５２ｃ，５５４ｃ，５５６ｃ，５５８ｃ，６５２ｃ，６５４ｃ，６５６ｃ，６５８ｃ  傾斜縁
５２ｄ，５４ｄ，５６ｄ，５８ｄ，３５２ｄ，３５４ｄ，３５６ｄ，３５８ｄ，５５２ｄ，５５４ｄ，５５６ｄ，５５８ｄ，６５２ｄ，６５４ｄ，６５６ｄ，６５８ｄ  先端縁
５２ｅ，５４ｅ，５６ｅ，５８ｅ，３５２ｅ，３５４ｅ，３５６ｅ，３５８ｅ，５５２ｅ，５５４ｅ，５５６ｅ，５５８ｅ，６５２ｅ，６５４ｅ，６５６ｅ，６５８ｅ  後端縁
５２ｆ，５４ｆ，５６ｆ，５８ｆ，３５２ｆ，３５４ｆ，３５６ｆ，３５８ｆ，５５２ｆ，５５４ｆ，５５６ｆ，５５８ｆ，６５２ｆ，６５４ｆ，６５６ｆ，６５８ｆ  後壁面
６０  スペーサ
６６２  連結係止部
６６４ａ，６６４ｂ  圧縮バネ部
６６６ａ，６６６ｂ  バネ係止部
７６４，７６６  係止部
９０，３９０，４９０，５９０，６９０  取付孔
θ1，θ2 角度
【図１】
2005246940.tif 000003
【図２】
2005246940.tif 000004
【図３】
2005246940.tif 000005
【図４】
2005246940.tif 000006
【図５】
2005246940.tif 000007
【図６】
2005246940.tif 000008
【図７】
2005246940.tif 000009
【図８】
2005246940.tif 000010
【図９】
2005246940.tif 000011
【図１０】
2005246940.tif 000012
【図１１】
2005246940.tif 000013
【図１２】
2005246940.tif 000014
【図１３】
2005246940.tif 000015
【図１４】
2005246940.tif 000016
【図１５】
2005246940.tif 000017
【図１６】
2005246940.tif 000018
【図１７】
2005246940.tif 000019
【図１８】
2005246940.tif 000020
【図１９】
2005246940.tif 000021
【図２０】
2005246940.tif 000022
【図２１】
2005246940.tif 000023
【図２２】
2005246940.tif 000024
【図２３】
2005246940.tif 000025
【図２４】
2005246940.tif 000026
【図２５】
2005246940.tif 000027
【図２６】
2005246940.tif 000028
【図２７】
2005246940.tif 000029
【図２８】
2005246940.tif 000030
【図２９】
2005246940.tif 000031
【図３０】
2005246940.tif 000032
【図３１】
2005246940.tif 000033
【図３２】
2005246940.tif 000034
【図３３】
2005246940.tif 000035
【図３４】
2005246940.tif 000036
【図３５】
2005246940.tif 000037
【図３６】
2005246940.tif 000038
【図３７】
2005246940.tif 000039
【図３８】
2005246940.tif 000040
【図３９】
2005246940.tif 000041
【図４０】
2005246940.tif 000042
【図４１】
2005246940.tif 000043
【図４２】
2005246940.tif 000044
【図４３】
2005246940.tif 000045
【図４４】
2005246940.tif 000046
【図４５】
2005246940.tif 000047
【図４６】
2005246940.tif 000048
【図４７】
2005246940.tif 000049
【図４８】
2005246940.tif 000050
【図４９】
2005246940.tif 000051
【図５０】
2005246940.tif 000052
【図５１】
2005246940.tif 000053
【図５２】
2005246940.tif 000054
【図５３】
2005246940.tif 000055
【図５４】
2005246940.tif 000056
【図５５】
2005246940.tif 000057
【図５６】
2005246940.tif 000058
【図５７】
2005246940.tif 000059
【図５８】
2005246940.tif 000060
【図５９】
2005246940.tif 000061
【図６０】
2005246940.tif 000062
【図６１】
2005246940.tif 000063
【図６２】
2005246940.tif 000064
【図６３】
2005246940.tif 000065
【図６４】
2005246940.tif 000066
【図６５】
2005246940.tif 000067
【図６６】
2005246940.tif 000068
【図６７】
2005246940.tif 000069
【図６８】
2005246940.tif 000070
【図６９】
2005246940.tif 000071
【図７０】
2005246940.tif 000072
【図７１】
2005246940.tif 000073
【図７２】
2005246940.tif 000074